(57)【要約】  本発明は、微粒子フィルターと、エンジンに燃料を噴射して排気温度を上げることができる発動機制御ユニットと、潤滑剤組成物とを有する、バイオディーゼル適合性のために設計された発動機であって、当該潤滑剤組成物が少なくとも１つのエステル基を有するポリマーを含むことを特徴とする発動機について説明する。【特許請求の範囲】
【請求項１】
微粒子フィルターと、エンジンに燃料を噴射して排気温度を上げることができる発動機制御ユニットと、潤滑剤組成物とを有する、バイオディーゼル適合性のために設計された発動機であって、前記潤滑剤組成物が少なくとも１のエステル基を有するポリマーを含むことを特徴とする発動機。
【請求項２】
排気物質基準であるユーロ５の要件を満たすことを特徴とする、請求項１に記載の発動機。
【請求項３】
コモンレールシステムを備えることを特徴とする、請求項１または２に記載の発動機。
【請求項４】
排気ガス再循環を備えることを特徴とする、請求項１から３までのいずれか一項に記載の発動機。
【請求項５】
前記微粒子フィルターがウォールフロー型フィルターであることを特徴とする、請求項１から４までのいずれか一項に記載の発動機。
【請求項６】
前記エステル基を有するポリマーがアルキル（メタ）アクリレートポリマーであることを特徴とする、請求項１から５までのいずれか一項に記載の発動機。
【請求項７】
前記潤滑剤が、少なくとも２種のエステル基を有するポリマーの混合物を含むことを特徴とする、請求項１から６までのいずれか一項に記載の発動機。
【請求項８】
前記潤滑剤が、アルキル（メタ）アクリレートポリマーおよびエチレン酢酸ビニルポリマーを含むことを特徴とする、請求項１から７までのいずれか一項に記載の発動機。
【請求項９】
前記潤滑剤が、エステル基を有するポリマーおよびオレフィン性ポリマーを含むことを特徴とする、請求項１から８までのいずれか一項に記載の発動機。
【請求項１０】
前記エステル基を有するポリマーが、分散性基を有するアルキル（メタ）アクリレートポリマーであることを特徴とする、請求項１から９までのいずれか一項に記載の発動機。
【請求項１１】
前記エステル基を有するポリマーが、２３〜４０００個の炭素原子を有する（メタ）アクリレートに由来するユニットを有するアルキル（メタ）アクリレートポリマーであることを特徴とする、請求項１から１０までのいずれか一項に記載の発動機。
【請求項１２】
前記エステル基を有するポリマーが、グラフトベースとして非極性アルキル（メタ）アクリレートポリマーおよびグラフトレイヤーとして分散性モノマーを有するグラフトコポリマーであることを特徴とする、請求項１から１１までのいずれか一項に記載の発動機。
【請求項１３】
前記エステル基を有するポリマーが、１０，０００〜６００，０００ｇ／ｍｏｌの範囲の質量平均分子量を有することを特徴とする、請求項１から１２までのいずれか一項に記載の発動機。
【請求項１４】
前記エステル基を有するポリマーが、モノマー組成物を重合させることによって得られ、前記モノマー組成物が、
ａ）前記ポリマーを製造するための前記モノマー組成物の質量に対して０〜４０質量％の、式（Ｉ）：
【化１】
2013544328.tif 000013
［式中、Ｒは、水素またはメチルであり、Ｒ1は、１〜６個の炭素原子を有する直鎖状または分岐鎖状のアルキル基であり、Ｒ2およびＲ3は、それぞれ独立して、水素または式−ＣＯＯＲ’の基である（ここで、Ｒ’は、水素または、１〜６個の炭素原子を有するアルキル基である）］の１種以上のエチレン性不飽和エステル化合物、
ｂ）前記ポリマーを製造するための前記モノマー組成物の質量に対して５〜１００質量％の、式（ＩＩ）：
【化２】
2013544328.tif 000014
［式中、Ｒは、水素またはメチルであり、Ｒ4は、７〜１５個の炭素原子を有する直鎖状または分岐鎖状のアルキル基であり、Ｒ5およびＲ6は、それぞれ独立して、水素または式−ＣＯＯＲ’’の基である（ここで、Ｒ’’は、水素または、７〜１５個の炭素原子を有するアルキル基である）］の１種以上のエチレン性不飽和エステル化合物、
ｃ）前記ポリマーを製造するための前記モノマー組成物の質量に対して０〜８０質量％の、式（ＩＩＩ）：
【化３】
2013544328.tif 000015
［式中、Ｒは、水素またはメチルであり、Ｒ7は、１６〜４０００個の炭素原子を有する直鎖状または分岐鎖状アルキル基であり、Ｒ8およびＲ9は、それぞれ独立して、水素または式−ＣＯＯＲ’’’の基である（ここで、Ｒ’’’は、水素または、１６〜４０００個の炭素原子を有するアルキル基である）］の１種以上のエチレン性不飽和エステル化合物、
ｄ）前記ポリマーを製造するための前記モノマー組成物の質量に対して０〜５０質量％のコモノマー
を含むことを特徴とする、請求項１から１３までのいずれか一項に記載の発動機。
【請求項１５】
前記エステル基を有するポリマーが、アルコール部分に７〜１５個の炭素原子を有するエステルモノマーに由来するユニットと、アルコール部分に１６〜４０００個の炭素を有するエステルモノマーに由来するユニットとを含み、アルコール部分に７〜１５個の炭素原子を有するエステルモノマーに由来するユニットとアルコール部分に１６〜４０００個の炭素原子を有するエステルモノマーに由来するユニットの質量比が３：１〜１．１：１の範囲であることを特徴とする、請求項１から１４までのいずれか一項に記載の発動機。
【請求項１６】
前記ポリマーの前記極性ブロックの前記分散性繰り返しユニットが、１種以上の複素環式ビニル化合物および／または式（ＩＶ）：
【化４】
2013544328.tif 000016
［式中、Ｒは、水素またはメチルであり、Ｘは、酸素、硫黄、または式−ＮＨ−もしくは−ＮＲa−のアミノ基であり（ここで、Ｒaは、１〜４０個の炭素原子を有するアルキル基である）、Ｒ10は、２〜１０００個の炭素原子を有しかつ少なくとも１個のヘテロ原子を有する基であり、Ｒ11およびＲ12は、それぞれ独立して、水素または、式−ＣＯＸ’Ｒ10’の基である（ここで、Ｘ’は、酸素または、式−ＮＨ−もしくは−ＮＲa’−のアミノ基であり、式中、Ｒa’は、１〜４０個の炭素原子を有するアルキル基であり、Ｒ10’は、１〜１００個の炭素原子を有する基である）］のエチレン性不飽和極性エステル化合物、および／または複素環式ビニル化合物に由来することを特徴とする、請求項１５に記載の発動機。
【請求項１７】
前記疎水性ブロックと前記極性ブロックの質量比が、１００：１〜１：１の範囲であることを特徴とする、請求項１５または１６に記載の発動機。
【請求項１８】
前記エステル基を有するポリマーが、エステル基含有ユニットのブロックおよびオレフィン性ブロックを含むブロックコポリマーであることを特徴とする、請求項１から１７までのいずれか一項に記載の発動機。
【請求項１９】
前記潤滑剤組成物が、少なくとも１種の添加剤を含むことを特徴とする、請求項１から１８までのいずれか一項に記載の発動機。
【請求項２０】
前記添加剤が、粘度指数向上剤、流動点向上剤、分散剤、洗剤、消泡剤、腐食防止剤、酸化防止剤、耐摩耗添加剤、極圧添加剤、および／または摩擦調整剤であることを特徴とする、請求項１９に記載の発動機。
【請求項２１】
前記耐摩耗添加剤および／または極圧添加剤が、リン化合物、硫黄およびリンを有する化合物、硫黄および窒素を含む化合物、硫黄元素を含む硫黄化合物およびＨ2Ｓ−硫化炭化水素、硫化グリセリドおよび硫化脂肪酸エステル、過塩基性スルホネート、塩素化合物、グラファイト、または二硫化モリブデンから選択されることを特徴とする、請求項２０に記載の発動機。
【請求項２２】
潤滑剤を含有するバイオディーゼルの低温性能を向上させるための、請求項１から２１までのいずれか一項に記載の発動機における、エステル基を有するポリマーの使用。
【発明の詳細な説明】
【技術分野】
【０００１】
本出願は、改良された特性を有するディーゼル発動機に関する。さらに、本発明は、バイオディーゼル燃料を含む潤滑剤の低温性能を改良するためのポリマーの使用についても説明する。
【０００２】
今日、燃料は、ほとんどが化石源から得られる。しかしながら、これらの資源には限りがあり、そのため、代替物が求められている。したがって、燃料を製造するために使用することができる再生可能な原料に対する関心が高まっている。非常に興味深い代替物として、特に、バイオディーゼル燃料が挙げられる。
【０００３】
バイオディーゼルなる用語は、多くの場合、０〜３個の二重結合を伴う１２〜２４個の炭素原子の脂肪酸部分の鎖長を有する脂肪酸エステル、通常は脂肪酸メチルエステル（ＦＡＭＥ）の混合物を意味すると理解される。炭素数が多いほど、ならびに存在する二重結合が少ないほど、ＦＡＭＥの融点は高い。典型的な原料は、植物油（すなわち、グリセリド）、例えば、なたね油（キャノーラ油）、ひまわり油、大豆油、パーム油、ココナッツ油、および稀な例では使用済みの植物油である。バイオディーゼルの別の典型的な供給源は動物脂肪である。当該原料は、通常は塩基性触媒下においてメタノールによりエステル交換することによって、対応するＦＡＭＥへと変換される。しかしながら、その使用には、それらが鉱油ベースのディーゼルに対する実施可能な代替となるために対処しなければならない多くの欠陥および限界を伴う。
【０００４】
環境品質の低下および世界的原油埋蔵量の減少の観点から、多くの国において、純粋バイオディーゼルの使用は重要な目標である。しかしながら、様々な燃焼特性から密封材料の腐食に至るまでの多くの問題が、化石ディーゼルの代替物としてバイオディーゼルを使用する際の障害として報告されている。別の重大な難関は、ディーゼル微粒子除去フィルターの再生である。再生は、蓄積した煤をフィルターから除去するプロセスである。自動車の使用によって、微粒子フィルターの温度が低くなりすぎると、当該微粒子フィルターによって捉えられた微粒子を燃焼することができないであろう。この問題は、通常、自動車が短距離において使用される場合に生じ、微粒子フィルターへの煤の蓄積の原因となる。
【０００５】
通常、コンピュータが、背圧および／または温度を測定する１つ以上のセンサーをモニターし、事前にプログラムされた設定値に基づいて、いつ再生サイクルを作動させるか決定を下す。排気システムにおける背圧を低く維持しつつ、当該サイクルをあまりにも頻繁に実行すると、過剰な燃料を使用することになるであろう。直ちに再生サイクルを実行しなければ、エンジン損傷および／または再生の制御不能ならびに（蓄積した煤が過量であれば）可能性としてＤＰＦの故障といったリスクを増加させることになる。有効なＤＰＦシステムの長寿命のためには、品質再生ソフトウェアが必要である。
【０００６】
追加燃料をエンジン内に噴射して排気ガス温度を高めることにより、再生することができる。そのような再生のタイプは、技術的努力を必要とせず、したがって、比較的安価である。
【０００７】
しかしながら、そのようなサイクルは、油希釈につながり得る。一方、気化装置を使用することも可能である。しかしながら、そのような装置は高価であり、故障の原因となる場合もある。したがって、ほとんどの車は、エンジンに燃料を噴射して排気ガス温度を上げることができる発動機制御ユニットを備えている。
【０００８】
上記において言及した問題は、使用する乗用車のタイプによる。非常に短期間のサイクルでの車の使用は、短期間での潤滑剤の交換の原因となる非常に深刻な問題を生じる。その上、当該問題は、高性能排気制御システムおよび燃料節約のためのさらなる技術的アプローチを有する発動機において、より深刻である。発動機が高性能であるほど、過度のバイオディーゼル含有量などに基づく、潤滑剤劣化による影響を受けやすい。
【０００９】
潤滑剤劣化、特にバイオディーゼルの高含有量および不十分な低温性能は、発動機の様々な特性に対して有害な効果を有する。これらは、バイオディーゼル適合性を有する発動機にとって特に深刻である。不十分な低温性能は、通常、発動機のコールドスタートおよびコールド走行といった特性に関連する問題の原因となり得る。それに加えて、発動機の寿命および燃料消費が、潤滑剤の不十分な低温性能によって悪影響を受ける。
【００１０】
今日まで、工学的技術および新しい設備によって、発動機のコールドスタートおよびコールド走行といった特性を改善するための多くの試みがなされてきた。しかしながら、これらの付加機能は、高コストおよび、通常は最新の車だけがそうした改良の恩恵を受けることができるという欠点を抱えている。したがって、発動機のコールドスタートおよびコールド走行といった特性、寿命、ならびに燃料消費を改良するためのさらなる機会は有用であろう。
【００１１】
したがって、先行技術を考慮して、本発明の目的は、新しい発動機設計に限定されず既存のバイオディーゼル発動機にも適用することができる解決策を提供することである。とりわけ、バイオディーゼル発動機のコールドスタートおよびコールド走行といった特性が向上するはずである。さらに、本発明のさらなる目的は寿命および燃料消費の向上である。この向上は、環境への負担なしに達成されるべきである。
【００１２】
本発明のさらなる目的は、バイオディーゼル発動機のコールドスタートおよびコールド走行といった特性を向上させる、潤滑油のための添加剤を提供することである。それに加えて、当該添加剤は、バイオディーゼル発動機の寿命および燃料消費を向上させるはずである。
【００１３】
その上、当該添加剤は、簡単で安価な方法において製造可能であるべきであり、とりわけ、市販の成分が使用されるべきである。この関係において、それらは、新しいプラントまたはこの目的のために必要とされる複雑な構造のプラントを用いずに、産業規模で製造可能であるべきである。
【００１４】
本発明のさらなる目的は、潤滑剤において多数の望ましい特性を生じる添加剤を提供することである。これにより、添加剤の種類を最少とすることができる。
【００１５】
その上、当該添加剤は、燃料消費または潤滑剤の環境適合性に対していかなる悪影響も示さないはずである。
【００１６】
さらに、当該添加剤は、多量のバイオディーゼルを含む潤滑油の特性を向上させるはずである。
【００１７】
これらの目的ならびに、明確には言明されていないが導入的に本明細書において説明された関連から直ちに導出可能または推測可能であるさらなる目的は、請求項１のすべての特徴を有する発動機によって達成される。本発明の発動機に対する適切な改変は、請求項１について言及している請求項において保護される。
【００１８】
したがって、本発明は、微粒子フィルター、エンジンに燃料を噴射して排気温度を上げることができる発動機制御ユニット、および潤滑剤組成物を有する、バイオディーゼル適合性のために設計された発動機であって、当該潤滑剤組成物が少なくとも１つのエステル基を有するポリマーを含むことを特徴とする、発動機を提供するものである。
【００１９】
したがって、改良されたコールドスタートおよびコールド走行といった特性を有する、バイオディーゼル適合性のために設計された発動機を、予想外の方法において提供することが可能である。それに加えて、本発明の発動機は、長寿命および燃料消費の低減を示す。
【００２０】
それに加えて、本発明の発動機は、オイル交換の間隔を長くすることができる。したがって、当該発動機は、特定の距離をより少ない量のモーターオイルで走行し、経済面を大幅に改善する。
【００２１】
本発明の発動機は、微粒子フィルターを再生するために複雑な設計を必要としない。その上、当該再生は、発動機の走行特性を低下させない。
【００２２】
さらに、本発明によって提示される解決策は、新しい発動機設計に限定されず、エンジンに燃料を噴射して排気温度を高めることができる適切な発動機制御ユニットを有する既存のバイオディーゼル発動機にも適用することができる。
【００２３】
その上、本発明の発動機は、バイオディーゼル発動機のコールドスタートおよびコールド走行といった特性、寿命および燃料消費に関して、有害な影響を受けることなく、非常に高い圧縮を有し得る。
【００２４】
その上、上記において言及された問題を解決することができる潤滑剤を得るために使用される添加剤は、簡単で安価な方法において製造することができ、特に、市販の成分を使用することができる。同時に、新しいプラントまたはこの目的のために必要となる複雑な構造のプラントがなくても、産業規模での生産が可能である。
【００２５】
その上、本発明による使用のためのポリマーは、特に好ましい特性プロファイルを示す。例えば、当該ポリマーは、潤滑剤が非常に長い耐用年数を有するよう、驚くほど剪断安定的であるように構成することができる。さらに、本発明による使用のための添加剤は、潤滑剤において多数の望ましい特性を生じ得る。例えば、エステル基を有する本ポリマーを含む、非常に優れた低温特性または粘度特性を有する潤滑剤を製造することが可能である。これにより、添加剤の種類を最少とすることができる。その上、エステル基を有する本ポリマーは、多くの添加剤に対して適合可能である。これにより、当該添加剤を多様な要件に対して適合させることが可能となる。
【００２６】
その上、当該添加剤の使用は、燃料消費または潤滑剤の環境適合性に、いかなる悪影響も示さない。
【００２７】
驚くべきことに、エステル基を有する本ポリマーは、多量のバイオディーゼルを含む潤滑油の低温性能を向上させる。
【００２８】
それに加えて、当該潤滑剤の分散能力は、本発明のポリマーの特定の実施形態を使用することによって改良することができる。これらの態様を考慮する場合、一部のバイオディーゼル燃料は、酸化によって影響を受けやすい多量のエチレン性不飽和結合を有している。これらの酸化生成物は、モーター油に可溶であるに過ぎないが、重大な問題の原因となる場合がある。バイオディーゼルを含有しないモーター油において形成された微粒子およびスラッジは、様々な特性を有しており、さらに、バイオディーゼルを含有しないモーター油は、そのような不純物の発生が少ない。これらの不純物は、モーター油を交換する理由の１つである。
【００２９】
さらに、本発動機は、バイオディーゼルの劣化において形成される酸を中和するという本モーター油の能力に基づく、より低い腐食性を有する。
【００３０】
本発明は、バイオディーゼル適合性のために設計された新規の発動機を提供する。これらの発動機は、通常、バイオディーゼル車の一部である。
【００３１】
バイオディーゼル車は、通常、バイオディーゼルと石油ベースのディーゼルとの混合物を使用することができる。好ましいバイオディーゼルエンジンでは、エレクトロニックセンサーが感知する実際のブレンドに従って燃料噴射およびスパークタイミングが自動的に調節されるので、燃焼室において、結果として生じる、任意の割合のブレンドを燃焼させることができる。
【００３２】
バイオディーゼル車は、微粒子フィルターを備える。ディーゼル微粒子フィルターは、場合によりＤＰＦと呼ばれ、ディーゼルエンジンの排気ガスからディーゼル微粒子または煤を除去するように設計された装置である。ウォールフロー型ディーゼル微粒子フィルターは、通常、煤の８５％以上を除去し、時には（高負荷状態）、１００％に近い煤除去効率を達成することができる。フィルターが機能しているディーゼル車の排気パイプから目に見える煙は放出されないであろう。
【００３３】
好ましくは、当該微粒子フィルターは、３０％〜６０％、より好ましくは４０％〜５０％の有孔率を有する。当該有孔率は、当該微粒子フィルターの全体積に対する細孔体積の比率である。
【００３４】
好ましくは、当該微粒子フィルターは、無機材料、例えば、ケイ酸塩、チタン酸塩、とりわけチアライト（Ａｌ2ＴｉＯ5）、カーバイド、セラミック、または金属材料、で作製される。
【００３５】
好ましい実施形態により、当該微粒子フィルターは、ウォールフロー型フィルターである。より好ましくは、当該微粒子フィルターは、微粒子の少なくとも７０％、とりわけ少なくとも８５％、より好ましくは少なくとも９５％を除去する。
【００３６】
好ましくは、コーディエライトウォールフロー型フィルター、シリコンカーバイドウォールフロー型フィルター、セラミック繊維フィルター、金属繊維フロースルー型フィルターを使用することができる。
【００３７】
好ましくは、当該フィルターは、コーディエライトで作製され得る。コーディエライトは、当該技術分野において公知の特別なセラミック材料である。コーディエライトフィルターは、ろ過効率が高く、安価である。
【００３８】
さらなる態様により、当該フィルターは、シリコンカーバイド（ＳｉＣ）で作製することができる。
【００３９】
繊維状のセラミックフィルターは、多孔質体を形成するために一緒に混合された様々なタイプのセラミック繊維から作製される。繊維状のフィルターは、より低い背圧を生じるウォールフロー型設計に勝る利点を有する。
【００４０】
いくつかのコアは、金属繊維から作製されており、一般的に、繊維がモノリス中に「織り込まれる」。そのようなコアは、再生のため、モノリスに電流を流して当該コアを加熱することができ、それにより、低い排気温度および／または低い排気流量において当該フィルターを再生することが可能であるという利点を有する。
【００４１】
当該微粒子フィルターは、例えば、煤の燃焼温度を下げることができるコーティングを有していてもよい。
【００４２】
当該微粒子フィルターの追加情報および仕様は、Ｅｎｇｉｎｅ  Ｂｅｎｃｈ  ａｎｄ  Ｖｅｈｉｃｌｅ  Ｄｕｒａｂｉｌｉｔｙ  Ｔｅｓｔ  ｏｆ  Ｓｉ  ｂｏｎｄｅｄ  ＳｉＣ  Ｐａｒｔｉｃｕｌａｔｅ  Ｆｉｌｔｅｒｓ：Ａ．Ｓｃｈａｅｆｅｒ−Ｓｉｎｄｌｉｎｇｅｒ  ｅｔ  ａｌ．．ＳＡＥ  ２００４−０１−０９５２、に言及されている。当該文献は、その開示内容が参考として本明細書で援用される。
【００４３】
その上、本発明の発動機は、排気ガスのＮＯxおよび他の有害な成分を除去する触媒を備え得る。
【００４４】
それに加えて、当該発動機は、エンジンに燃料を噴射して排気温度を上げることができる発動機制御ユニットを備える。
【００４５】
非常に好ましい実施形態により、当該発動機は、燃焼室内に燃料を噴射するためのコモンレールシステムに基づき得る。
【００４６】
用語「コモンレール」は、すべての燃料噴射装置が、燃料が高圧で貯蔵されている圧力アキュムレーターでしかないコモン燃料レールによって供給されるという事実を意味する。この燃料貯蔵容器は、最高２，５００ｂａｒ超の高圧を提供する高圧ポンプによって供給される。当該燃料貯蔵容器は、複数の燃料噴射装置に燃料を供給する。これは、命令された圧力を（機械的または電子的に制御された）目標値に維持するだけでよいように、高圧ポンプの目的を簡素化する。燃料噴射装置は、典型的には、ＥＣＵ制御される。燃料噴射装置が電気的に作動される場合、液圧式バルブ（ノズルとプランジャーとからなる）が機械的または液圧的に開かれて、燃料が、所望の圧力でシリンダー内へ噴霧される。燃料圧力エネルギーが遠隔的に保持され、噴射装置は電気的に作動されるので、噴射の開始時および終了時における噴射圧は、アキュムレーター（レール）の圧力に非常に近く、したがって、十分な噴射率が生じる。アキュムレーター、ポンプ、および配管が適切なサイズであれば、噴射圧および噴射率は、複数回の噴射それぞれにおいて同じであろう。
【００４７】
好ましくは、ディーゼル燃料は、燃焼室を暖めるためにシリンダー中に予備噴射され、その後に主となる燃料チャージが為されるように、各燃焼サイクルの間に複数の噴射工程によって噴射され得る。
【００４８】
ソレノイドによって作動するニードルバルブにより、驚異的な改良を達成することができる。その上、圧電噴射装置を、改良された発動機制御のために使用することができるであろう。
【００４９】
好ましくは、コモンレールシステムにおける燃料圧力は、少なくとも８００ｂａｒ、とりわけ少なくとも１，０００ｂａｒ、より好ましくは少なくとも１，５００ｂａｒ、最も好ましくは少なくとも１，８００ｂａｒである。
【００５０】
技術的には、バイオディーゼルエンジンは、石油ベースのディーゼルとバイオディーゼルとの任意の混合物（純粋なガソリンから１００％バイオディーゼル（Ｂ１００）まで）で走行することが可能であるが、北米およびヨーロッパのバイオディーゼル車は、８０％の鉱物ディーゼルと２０％のバイオディーゼルとの最大ブレンド（Ｂ２０燃料と呼ばれる）で走行するように最適化されている。バイオディーゼル含有量におけるこの制限は、１１℃（５２°Ｆ）未満の寒冷時期におけるコールドスタートの問題を回避するために設定されている。
【００５１】
好ましくは、本発明の発動機は、少なくとも５体積％、とりわけ少なくとも１０体積％、特に２０体積％、さらにとりわけ少なくとも５０体積％、より好ましくは少なくとも８０体積％のバイオディーゼル、例えばＦＡＭＥ、を含む燃料に対して設計されている。さらに、本発明の発動機は、好ましくは、少なくとも５体積％、とりわけ少なくとも１０体積％、特に２０体積％、さらにとりわけ少なくとも５０体積％、より好ましくは少なくとも８０体積％の鉱物ディーゼルを含む燃料に対して設計されている。
【００５２】
好ましくは、当該発動機は、少なくとも１２、より好ましくは少なくとも１６の圧縮を有する。好ましい実施形態により、当該圧縮は、好ましくは最大で２６、より好ましくは最大で２３である。
【００５３】
本発明の特定の態様により、当該発動機は、燃料噴射ポンプを備え得る。
【００５４】
マルチバルブ技術を備える発動機により、予想外の利点が達成され得る。
【００５５】
その上、本発明の発動機は、排気ガス再循環を備え得る。当該排気ガス再循環は、好ましくは冷却することができる。
【００５６】
好ましくは、当該発動機は、燃料噴射およびスパークタイミングの最適化のためのエンジン管理を備える。
【００５７】
さらに、当該発動機は、好ましくは、ターボチャージャーおよび／またはスーパーチャージャーを備え得る。本発明の好ましい実施形態により、当該発動機は、可変容量ターボチャージャー（ＶＧＴ）を備え得る。
【００５８】
本発明の好ましい発動機は、指令Ｎｏ．７１５／２００７／ＥＣに定義される排気物質基準であるユーロ５、より好ましくはユーロ６の要件を満たす。当該発動機は、米国におけるＴＩＥＲ  ＩＩなどの国家規格または地方規格に応じるための他の要件も満たし得る。
【００５９】
本発明のディーゼル発動機の、上記において言及された特定の成分の追加情報および仕様は、Ｈａｎｄｂｕｃｈ  Ｄｉｅｓｅｌｍｏｔｏｒｅｎ：Ｍｏｌｌｅｎｈａｕｅｒ，  Ｔｓｃｈｏｅｋｅ；Ｓｐｒｉｎｇｅｒ  Ｖｅｒｌａｇ；２００７およびＯｔｔｏ−  ｕｎｄ  Ｄｉｅｓｅｌｍｏｔｏｒｅｎ：Ｇｒｏｈｅ，Ｒｕｓｓ；Ｖｏｇｅｌ  Ｂｕｃｈ  Ｖｅｒｌａｇ；２００７、に言及されている。当該文献は、その開示内容が参考として本明細書で援用される。
【００６０】
本発明の発動機は、少なくとも１つのエステル基を有するポリマーを含む潤滑剤組成物を有する。
【００６１】
本発明は、好ましくは高い油溶解度を有するポリマーについて説明する。用語「油溶性」は、基油とエステル基を有するポリマーとの混合物が、マクロ相を形成することなく製造可能であることを意味し、これは、少なくとも０．１質量％、好ましくは少なくとも０．５質量％のポリマーを有する。ポリマーは、この混合物中において分散状態および／または溶解状態において存在し得る。当該ポリマーは、未使用油および／または老化油に加えることができる。その上、当該ポリマーは、バイオディーゼルに加えてもよく、油で希釈し潤滑油に導入してもよい。油溶性は、とりわけ、親油性側鎖および基油の割合に依存する。この特性は、当業者に公知であり、親油性モノマーの割合によって、特定の基油に対して容易に調整することができる。
【００６２】
中でも特に、エステル基を有するポリマー、好ましくはポリアルキル（メタ）アクリレート、であって、好ましくは、２０００〜２，０００，０００ｇ／ｍｏｌ、とりわけ７５００〜１，０００，０００ｇ／ｍｏｌ、より好ましくは１０，０００〜６００，０００ｇ／ｍｏｌ、最も好ましくは１５，０００〜８０，０００ｇ／ｍｏｌの質量平均分子量Ｍwを有するポリマーが特に興味深い。
【００６３】
数平均分子量Ｍnは、好ましくは、２０００〜１，０００，０００ｇ／ｍｏｌ、とりわけ５０００〜８００，０００ｇ／ｍｏｌ、より好ましくは７５００〜５００，０００ｇ／ｍｏｌ、最も好ましくは１０，０００〜８０，０００ｇ／ｍｏｌである。
【００６４】
本発明の特定の実施形態により、エステル基を有するポリマー、好ましくはポリアルキル（メタ）アクリレートは、２０００〜１，０００，０００ｇ／ｍｏｌ、とりわけ２０，０００〜８００，０００ｇ／ｍｏｌ、より好ましくは４０，０００〜５００，０００ｇ／ｍｏｌ、最も好ましくは６０，０００〜２５０，０００ｇ／ｍｏｌの質量平均分子量Ｍwを有し得る。
【００６５】
本発明のさらなる態様により、エステル基を有するポリマー、好ましくはポリアルキル（メタ）アクリレートは、２，０００〜１００，０００ｇ／ｍｏｌ、とりわけ４，０００〜６０，０００ｇ／ｍｏｌ、最も好ましくは５，０００〜３０，０００ｇ／ｍｏｌの数平均分子量Ｍnを有し得る。
【００６６】
高分子量ポリマーは、とりわけ、粘度指数向上剤として有用である。低分子量ポリマーは、とりわけ、流動点降下剤および流動向上剤として有用である。
【００６７】
以下の説明によっていかなる制限も意図するものではないが、エステル基を有するポリマーは、好ましくは、１〜１５、より好ましくは１．１〜１０、とりわけ好ましくは１．２〜５の、数平均分子量に対する質量平均分子量の比Ｍw／Ｍnによって与えられる多分散度を示す。当該多分散度は、ゲル透過クロマトグラフィ（ＧＰＣ）によって特定することができる。
【００６８】
当該エステル基を有するポリマーは、様々な構造を有し得る。例えば、当該ポリマーは、対応する極性セグメントおよび非極性セグメントを有する、ジブロック、トリブロック、マルチブロック、くし形、および／または星形コポリマーとして存在し得る。加えて、当該ポリマーは、とりわけ、グラフトコポリマーとして存在し得る。
【００６９】
本発明の文脈において、エステル基を有するポリマーは、少なくとも１つのエステル基を有するエチレン性不飽和化合物（本明細書中以下、エステルモノマーと呼ぶ）を含むモノマー組成物を重合させることによって得られるポリマーを意味すると理解される。エステルモノマーは、それ自体公知である。これらのモノマーとしては、とりわけ、（メタ）アクリレート、マレエート、およびフマレートが挙げられ、これらは、異なるアルコール基を有し得る。表現「（メタ）アクリレート」は、メタクリレートおよびアクリレート、ならびに当該２種の混合物を包含する。これらのモノマーは、広く知られている。
【００７０】
したがって、これらのポリマーは、側鎖の一部としてエステル基を有する。
【００７１】
当該エステル基を有するポリマーは、単独で、または、例えば、異なる分子量、繰り返しユニットにおける異なる組成、および／または異なるエステル基含有モノマーを有するポリマーの混合物として、使用することができる。例えば、当該ポリマーのいくつかは、流動点降下剤の特性を有し得、一方、他のポリマーは、粘度指数向上剤である。好ましくは、１種以上の流動点降下剤と１種以上の粘度指数向上剤を含む混合物を使用することができる。
【００７２】
当該エステル基を有するポリマーは、好ましくは少なくとも４０質量％、より好ましくは少なくとも６０質量％、とりわけ好ましくは少なくとも８０質量％、最も好ましくは少なくとも９０質量％の、エステルモノマーに由来する繰り返しユニットを含む。
【００７３】
本発明の好ましい実施形態により、当該エステル基を有するポリマーは、ポリアルキル（メタ）アクリレート（ＰＡＭＡ）、ポリアルキルフマレート、および／またはポリアルキルマレエートを含み得る。より好ましくは、当該エステル基を有するポリマーは、アルキル（メタ）アクリレートポリマーである。
【００７４】
ポリアルキル（メタ）アクリレート（ＰＡＭＡ）、ポリアルキルフマレート、および／またはポリアルキルマレエートの製造のためのエステルモノマーは、それ自体公知である。それらとしては、とりわけ、（メタ）アクリレート、マレエート、およびフマレートが挙げられ、これらは、異なるアルコール部分を有し得る。表現「（メタ）アクリレート」は、メタクリレートおよびアクリレート、ならびに当該２種の混合物を包含する。これらのモノマーは、広く知られている。この文脈において、アルキル部分は、直鎖状、環状、または分岐鎖状であり得る。アルキル部分も、公知の置換基を有し得る。
【００７５】
用語「繰り返しユニット」は、当該技術分野において広く知られている。エステル基を有する本ポリマーは、好ましくは、モノマーのフリーラジカル重合、本発明の文脈においてフリーラジカルプロセスに数えられるＡＴＲＰ、ＲＡＦＴ、およびＮＭＰの制御されたラジカルプロセス技術（後で説明する）、によって得られ、これにより制限を課すべきとの意図はない。これらのプロセスにおいて、二重結合が開らかれて、共有結合が形成される。したがって、当該繰り返しユニットは、使用されたモノマーから得られる。
【００７６】
当該エステル基を有するポリマーは、好ましくは、アルコール部分に７〜４０００個の炭素原子を有するエステルモノマーに由来する繰り返しユニットを含有する。好ましくは、当該ポリマーは、少なくとも４０質量％、とりわけ少なくとも６０質量％、より好ましくは少なくとも８０質量％の、アルコール部分に７〜４０００個の炭素原子、好ましくは７〜３００個の炭素原子、より好ましくは７〜３０個の炭素原子を有するエステルモノマーに由来する繰り返しユニットを含む。
【００７７】
好ましい実施形態により、当該ポリマーは、アルコール部分に１６〜４０００個の炭素原子、好ましくは１６〜３００個の炭素原子、より好ましくは１６〜３０個の炭素原子を有するエステルモノマーに由来する繰り返しユニットと、アルコール部分に７〜１５個の炭素原子を有するエステルモノマーに由来する繰り返しユニットとを含み得る。
【００７８】
当該エステル基を有するポリマーは、５〜１００質量％、とりわけ２０〜９８質量％、より好ましくは３０〜６０質量％の、アルコール部に７〜１５炭素原子を有するエステルモノマーに由来する繰り返しユニットを含有し得る。
【００７９】
特定の態様において、当該エステル基を有するポリマーは、０〜９０質量％、好ましくは５〜８０質量％、より好ましくは４０〜７０質量％の、アルコール部分に１６〜４０００個、好ましくは１６〜３０個の炭素原子を有するエステルモノマーに由来する繰り返しユニットを含有し得る。
【００８０】
好ましくは、当該ポリマーは、アルコール部分に２３〜４０００個の炭素原子、好ましくは２３〜４００個の炭素原子、より好ましくは２３〜３００個の炭素原子を有するエステルモノマーに由来する繰り返しユニットを含み得る。
【００８１】
その上、当該エステル基を有するポリマーは、０．１〜６０質量％、とりわけ０．５〜４０質量％、好ましくは１〜３０質量％、より好ましくは２〜２０質量％の、アルコール部分に１〜６個の炭素原子を有するエステルモノマーに由来する繰り返しユニットを含有し得る。
【００８２】
好ましい実施形態により、当該ポリマーは、アルコール部分に２３〜４０００個の炭素原子、好ましくは２３〜４００個の炭素原子、より好ましくは２３〜３００個の炭素原子を有するエステルモノマーに由来する繰り返しユニットと、アルコール部分に１〜６個の炭素原子を有するエステルモノマーに由来する繰り返しユニットとを含み得る。
【００８３】
当該エステル基を有するポリマーは、好ましくは少なくとも４０質量％、より好ましくは少なくとも６０質量％、とりわけ好ましくは少なくとも８０質量％、非常に特に少なくとも９５質量％の、エステルモノマーに由来する繰り返しユニットを含む。
【００８４】
エステル基を有する本発明のポリマーを得られる混合物は、０〜４０質量％、とりわけ０．１〜３０質量％、より好ましくは０．５〜２０質量％の、式（Ｉ）：
【化１】
2013544328.tif 000002
［式中、Ｒは、水素またはメチルであり、Ｒ1は、１〜６個の炭素原子を有する直鎖状または分岐鎖状のアルキル基であり、Ｒ2およびＲ3は、それぞれ独立して、水素または式−ＣＯＯＲ’の基である（ここで、Ｒ’は、水素または、１〜６個の炭素原子を有するアルキル基である）］の１種以上のエチレン性不飽和エステル化合物を含有し得る。
【００８５】
成分（Ｉ）の例としては、
飽和アルコールに由来する（メタ）アクリレート、フマレート、およびマレエート、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、ｔｅｒｔ−ブチル（メタ）アクリレートおよびペンチル（メタ）アクリレート、ヘキシル（メタ）アクリレート；
シクロアルキル（メタ）アクリレート、例えば、シクロペンチル（メタ）アクリレート、シクロヘキシル（メタ）アクリレート
が挙げられる。
【００８６】
重合される当該組成物は、好ましくは０〜１００質量％、特に５〜９８質量％、とりわけ２０〜９０質量％、より好ましくは３０〜６０質量％の、式（ＩＩ）：
【化２】
2013544328.tif 000003
［式中、Ｒは、水素またはメチルであり、Ｒ4は、７〜１５個の炭素原子を有する直鎖状または分岐鎖状のアルキル基であり、Ｒ5およびＲ6は、それぞれ独立して、水素または式−ＣＯＯＲ’’の基である（ここで、Ｒ’’は、水素または、７〜１５個の炭素原子を有するアルキル基である）］の１種以上のエチレン性の不飽和エステル化合物を含有する。
【００８７】
成分（ＩＩ）の例としては、
飽和アルコールに由来する（メタ）アクリレート、フマレート、およびマレエート、例えば、２−エチルヘキシル（メタ）アクリレート、ヘプチル（メタ）アクリレート、２−ｔｅｒｔ−ブチルヘプチル（メタ）アクリレート、オクチル（メタ）アクリレート、３−イソプロピルヘプチル（メタ）アクリレート、ノニル（メタ）アクリレート、デシル（メタ）アクリレート、２−プロピルヘプチル（メタ）アクリレート、ウンデシル（メタ）アクリレート、５−メチルウンデシル（メタ）アクリレート、ドデシル（メタ）アクリレート、２−メチルドデシル（メタ）アクリレート、トリデシル（メタ）アクリレート、５−メチルトリデシル（メタ）アクリレート、テトラデシル（メタ）アクリレート、ペンタデシル（メタ）アクリレート；
不飽和アルコールに由来する（メタ）アクリレート、例えば、オレイル（メタ）アクリレート；
シクロアルキル（メタ）アクリレート、例えば、３−ビニルシクロヘキシル（メタ）アクリレート、ボルニル（メタ）アクリレート；ならびに対応するフマレートおよびマレエート
が挙げられる。
【００８８】
その上、好ましいモノマー組成物は、０〜１００質量％、特に０．１〜９０質量％、好ましくは５〜８０質量％、より好ましくは４０〜７０質量％の、式（ＩＩＩ）：
【化３】
2013544328.tif 000004
［式中、Ｒは、水素またはメチルであり、Ｒ7は、１６〜４０００個、好ましくは１６〜４００個、より好ましくは１６〜３０個の炭素原子を有する直鎖状または分岐鎖状アルキル基であり、Ｒ8およびＲ9は、それぞれ独立して、水素または式−ＣＯＯＲ’’’の基である（ここで、Ｒ’’’は、水素または、１６〜４０００個、好ましくは１６〜４００個、より好ましくは１６〜３０個の炭素原子を有するアルキル基である）］の１種以上のエチレン性不飽和エステル化合物を含む。
【００８９】
成分（ＩＩＩ）の例としては、
飽和アルコールに由来する（メタ）アクリレート、例えば、ヘキサデシル（メタ）アクリレート、２−メチルヘキサデシル（メタ）アクリレート、ヘプタデシル（メタ）アクリレート、５−イソプロピルヘプタデシル（メタ）アクリレート、４−ｔｅｒｔ−ブチルオクタデシル（メタ）アクリレート、５−エチルオクタデシル（メタ）アクリレート、３−イソプロピルオクタデシル（メタ）アクリレート、オクタデシル（メタ）アクリレート、ノナデシル（メタ）アクリレート、エイコシル（メタ）アクリレート、セチルエイコシル（メタ）アクリレート、ステアリルエイコシル（メタ）アクリレート、ドコシル（メタ）アクリレート、および／またはエイコシルテトラトリアコンチル（メタ）アクリレート；
シクロアルキル（メタ）アクリレート、例えば、２，４，５−トリ−ｔ−ブチル−３−ビニルシクロヘキシル（メタ）アクリレート、２，３，４，５−テトラ−ｔ−ブチルシクロヘキシル（メタ）アクリレート；
ならびに対応するフマレートおよびマレエート
が挙げられる。
【００９０】
さらに、式（ＩＩＩ）によるモノマーとしては、とりわけ、２００２年８月７日に米国特許庁（ＵＳＰＴＯ）に出願された、出願番号第１０／２１２，７８４号の米国特許第６，７４６，９９３号、および２００３年８月１日に米国特許庁（ＵＳＰＴＯ）に出願された、出願番号第１０／６３２，１０８号の米国特許出願公開第２００４／０７７５０９号に開示されている、長鎖分岐（メタ）アクリレートが挙げられる。これらの文献の開示内容、とりわけ、少なくとも１６個、好ましくは少なくとも２３個の炭素原子を有する（メタ）アクリレートモノマーは、参考として本明細書で援用される。
【００９１】
それに加えて、Ｃ16〜Ｃ4000アルキル（メタ）アクリレートモノマー、好ましくはＣ16〜Ｃ400アルキル（メタ）アクリレートモノマーは、ポリオレフィン−ベースのマクロモノマーを含む。当該ポリオレフィン−ベースのマクロモノマーは、ポリオレフィンに由来する少なくとも１つの基を有する。ポリオレフィンは、当該技術分野において公知であり、炭素元素および水素元素からなるアルケンおよび／またはアルカジエン、例えば、Ｃ2〜Ｃ10−アルケン、例えば、エチレン、プロピレン、ｎ−ブテン、イソブテン、ノルボルネン、および／またはＣ4〜Ｃ10−アルカジエン、例えば、ブタジエン、イソプレン、ノルボルナジエン、を重合させることによって得られる。当該ポリオレフィン−ベースのマクロモノマーは、当該ポリオレフィン−ベースのマクロモノマーの質量に対して、好ましくは少なくとも７０質量％、より好ましくは少なくとも８０質量％、最も好ましくは少なくとも９０質量％の、アルケンおよび／またはアルカジエンに由来する基を有する。当該ポリオレフィン性基は、特に、水素化された形態においても存在し得る。ポリオレフィン−ベースのマクロモノマーに由来するアルキル（メタ）アクリレートモノマーは、アルケンおよび／またはアルカジエンに由来する基に加えて、さらなる基も有し得る。これらは、少量の共重合性モノマーを含む。それ自体公知である、これらのモノマーとしては、モノマーの中でも特に、アルキル（メタ）アクリレート、スチレンモノマー、フマレート、マレエート、ビニルエステル、および／またはビニルエーテルが挙げられる。共重合性モノマーに対するこれらの基の割合は、ポリオレフィン−ベースのマクロモノマーの質量に対して、好ましくは最大３０質量％、より好ましくは最大１５質量％である。その上、当該ポリオレフィン−ベースのマクロモノマーは、官能基付与のために利用される、またはポリオレフィン−ベースのマクロモノマーの製造によって生じた、出発基および／または終端基を有し得る。これらの出発基および／または終端基の割合は、当該ポリオレフィン−ベースのマクロモノマーの質量に対して、好ましくは最大３０質量％、より好ましくは最大１５質量％である。
【００９２】
当該ポリオレフィン−ベースのマクロモノマーの数平均分子量は、好ましくは５００〜５０，０００ｇ／ｍｏｌ、より好ましくは７００〜１０，０００ｇ／ｍｏｌ、特に１５００〜８０００ｇ／ｍｏｌ、最も好ましくは２０００〜６０００ｇ／ｍｏｌである。
【００９３】
低分子量モノマーと高分子モノマーとの共重合によりくし形ポリマーを製造する場合、これらの値は、高分子モノマーの特性によって生じる。ポリマー類似反応の場合、この特性は、例えば、主鎖における変換された繰り返しユニットを考慮して使用されるマクロアルコールおよび／またはマクロアミンから生じる。グラフト共重合の場合、主鎖に組み入れられずに形成されたポリオレフィンの割合は、当該ポリオレフィンの分子量分布を結論付けるために使用することができる。
【００９４】
ポリオレフィン−ベースのマクロモノマーは、好ましくは、低融点を有し、これは、示差走査熱量測定（ＤＳＣ）によって測定される。当該ポリオレフィン−ベースのマクロモノマーの融点は、好ましくは−１０℃以下、とりわけ好ましくは−２０℃以下、より好ましくは−４０℃以下である。ポリアルキル（メタ）アクリレートコポリマーにおけるポリオレフィン−ベースのマクロモノマーに由来する繰り返しユニットに対して、いかなるＤＳＣ融点も測定されないことが最も好ましい。
【００９５】
ポリオレフィン−ベースのマクロモノマーは、刊行物：出願番号ＤＥ１０２００７０３２１２０．３の、２００７年７月９日に独国特許庁（Ｄｅｕｔｓｃｈｅｓ  Ｐａｔｅｎｔａｍｔ）に出願された独国特許出願公開第１０２００７０３２１２０（Ａ１）号、および出願番号ＤＥ１０２００７０４６２２３．０の、２００７年９月２６日に独国特許庁（Ｄｅｕｔｓｃｈｅｓ  Ｐａｔｅｎｔａｍｔ）に出願された独国特許出願公開第１０２００７０４６２２３（Ａ１）号に開示されており、これらの文献は参考として本明細書で援用される。
【００９６】
長鎖アルコール部分を有するエステル化合物、とりわけ、成分（ＩＩ）および（ＩＩＩ）は、例えば、（メタ）アクリレート、フマレート、マレエート、および／または対応する酸と、長鎖脂肪アルコールとを反応させることによって得られ、これは、概して、エステルの混合物、例えば、当該アルコール部分に様々な長鎖炭化水素を有する（メタ）アクリレート、を生じる。これらの脂肪アルコールとしては、Ｏｘｏ  Ａｌｃｏｈｏｌ（登録商標）７９１１、Ｏｘｏ  Ａｌｃｏｈｏｌ（登録商標）７９００、Ｏｘｏ  Ａｌｃｏｈｏｌ（登録商標）１１００；Ａｌｆｏｌ（登録商標）６１０、Ａｌｆｏｌ（登録商標）８１０、Ｌｉａｌ（登録商標）１２５、およびＮａｆｏｌ（登録商標）タイプ（Ｓａｓｏｌ）；Ａｌｐｈａｎｏｌ（登録商標）７９（ＩＣＩ）；Ｅｐａｌ（登録商標）６１０およびＥｐａｌ（登録商標）８１０（Ａｆｔｏｎ）；Ｌｉｎｅｖｏｌ（登録商標）７９、Ｌｉｎｅｖｏｌ（登録商標）９１１、およびＮｅｏｄｏｌ（登録商標）２５Ｅ（Ｓｈｅｌｌ）；Ｄｅｈｙｄａｄ（登録商標）、Ｈｙｄｒｅｎｏｌ（登録商標）、およびＬｏｒｏｌ（登録商標）タイプ（Ｃｏｇｎｉｓ）；Ａｃｒｏｐｏｌ（登録商標）３５およびＥｘｘａｌ（登録商標）１０（Ｅｘｘｏｎ  Ｃｈｅｍｉｃａｌｓ）；Ｋａｌｃｏｌ（登録商標）２４６５（Ｋａｏ  Ｃｈｅｍｉｃａｌｓ）が挙げられる。
【００９７】
エチレン性不飽和エステル化合物の中でも、（メタ）アクリレートは、マレエートおよびフマレートよりも特に好ましく、すなわち、式（Ｉ）、（ＩＩ）、および（ＩＩＩ）のＲ2、Ｒ3、Ｒ5、Ｒ6、Ｒ8、およびＲ9は、特定の好ましい実施形態において、それぞれ水素である。
【００９８】
７〜１５個の炭素原子を有するエステルモノマー、好ましくは式（ＩＩ）のエステルモノマー、に由来するユニットと、１６〜４０００個の炭素原子を有するエステルモノマー、好ましくは式（ＩＩＩ）のエステルモノマーに由来するユニットとの質量比は、広い範囲内であり得る。アルコール部分に７〜１５個の炭素原子を有するエステルモノマーに由来する繰り返しユニットと、アルコール部分に１６〜４０００個の炭素原子を有するエステルモノマーに由来する繰り返しユニットとの質量比は、好ましくは３０：１〜１：３０、より好ましくは５：１〜１：５、とりわけ好ましくは３：１〜１．１：１である。さらなる好ましい実施形態により、アルコール部分に７〜１５個の炭素原子を有するエステルモノマーに由来する繰り返しユニットと、アルコール部分に１６〜４０００個の炭素原子を有するエステルモノマーに由来する繰り返しユニットとの質量比は、好ましくは４：１〜１：４、より好ましくは３：１〜１：３、とりわけ好ましくは２．４：１〜１．１：１である。
【００９９】
当該ポリマーは、任意の成分として、コモノマーに由来するユニットを含有し得る。これらのコモノマーとしては、
ベンジル（メタ）アクリレートまたはフェニル（メタ）アクリレートなどのアリール（メタ）アクリレート（この場合、当該アクリル残基は、各場合において、非置換、または４回まで置換されていてもよい）；
２，３−ジブロモプロピル（メタ）アクリレート、４−ブロモフェニル（メタ）アクリレート、１，３−ジクロロ−２−プロピル（メタ）アクリレート、２−ブロモエチル（メタ）アクリレート、２−ヨードエチル（メタ）アクリレート、クロロメチル（メタ）アクリレートなどの、ハロゲン化アルコールの（メタ）アクリレート；
Ｎ−（メタクリロイルオキシエチル）ジイソブチルケチミン、Ｎ−（メタクリロイルオキシエチル）ジヘキサデシルケチミン、（メタ）アクリロイルアミドアセトニトリル、２−メタクリロイルオキシエチルメチルシアナミド、シアノメチル（メタ）アクリレートなどの、（メタ）アクリル酸および他の窒素含有（メタ）アクリレートのニトリル；
ハロゲン化ビニル、例えば、塩化ビニル、フッ化ビニル、塩化ビニリデン、およびフッ化ビニリデン；
酢酸ビニルなどのビニルエステル；
スチレンなどの芳香族基を有するビニルモノマー、側鎖にアルキル置換基を有する置換スチレン、例えば、α−メチルスチレンおよびα−エチルスチレン、環上にアルキル置換基を有する置換スチレン、例えば、ビニルトルエンおよびｐ−メチルスチレン、ハロゲン化スチレン、例えば、モノクロロスチレン、ジクロロスチレン、トリブロモスチレン、およびテトラブロモスチレン；
ビニルおよびイソプレニルエーテル；
マレイン酸およびマレイン酸誘導体、例えば、マレイン酸、無水マレイン酸、メチルマレイン酸無水物、マレイミド、メチルマレイミドのモノエステルおよびジエステル；
フマル酸およびフマル酸誘導体、例えば、フマル酸のモノエステルおよびジエステル；
メタクリル酸、およびアクリル酸
が挙げられる。
【０１００】
本発明の特定の態様により、当該エステル基を有するポリマーは、分散性モノマーを含む。
【０１０１】
分散性モノマーは、とりわけ、官能基を有するモノマーを意味すると理解され、これらの官能基を有するポリマーは、溶液中に、粒子、とりわけ煤粒子を維持することが想定され得る（Ｒ．Ｍ．Ｍｏｒｔｉｅｒ，Ｓ．Ｔ．Ｏｒｓｚｕｌｉｋ（ｅｄｓ．）："Ｃｈｅｍｉｓｔｒｙ  ａｎｄ  Ｔｅｃｈｎｏｌｏｇｙ  ｏｆ  Ｌｕｂｒｉｃａｎｔｓ"，Ｂｌａｃｋｉｅ  Ａｃａｄｅｍｉｃ＆Ｐｒｏｆｅｓｓｉｏｎａｌ，Ｌｏｎｄｏｎ，２ｎｄ  ｅｄ．１９９７を参照のこと）。これらとしては、とりわけ、ホウ素を含有する基、リンを含有する基、ケイ素を含有する基、硫黄を含有する基、酸素を含有する基、および窒素を含有する基を有するモノマーが挙げられ、酸素官能化モノマーおよび窒素官能化モノマーが好ましい。
【０１０２】
適切には、分散性モノマーとして、とりわけ複素環式ビニル化合物、および／または式（ＩＶ）：
【化４】
2013544328.tif 000005
［式中、Ｒは、水素またはメチルであり、Ｘは、酸素、硫黄、または式−ＮＨ−もしくは−ＮＲa−のアミノ基であり（ここで、Ｒaは、１〜４０個、好ましくは１〜４個の炭素原子を有するアルキル基である）、Ｒ10は、２〜１０００個、とりわけ２〜１００個、好ましくは２〜２０個の炭素原子を有する基であり、少なくとも１個のヘテロ原子、好ましくは少なくとも２個のヘテロ原子を有し、Ｒ11およびＲ12は、それぞれ独立して、水素または、式−ＣＯＸ’Ｒ10’の基である（ここで、Ｘ’は、酸素または、式−ＮＨ−もしくは−ＮＲa’−のアミノ基であり、式中、Ｒa’は、１〜４０個、好ましくは１〜４個の炭素原子を有するアルキル基であり、Ｒ10’は、１〜１００個、好ましくは１〜３０個、より好ましくは１〜１５個の炭素原子を有する基である）］のエチレン性不飽和極性エステル化合物を使用することができる。
【０１０３】
表現「２〜１０００個の炭素を有する基」は、２〜１０００個の炭素原子を有する有機化合物の基を意味する。同様の定義が、対応する用語に適用される。それは、芳香族およびヘテロ芳香族基、ならびにアルキル、シクロアルキル、アルコキシ、シクロアルコキシ、アルケニル、アルカノイル、アルコキシカルボニル基、ならびにヘテロ脂肪族基を包含する。言及された基は、分岐鎖状であっても、または非分岐鎖状であってもよい。さらに、これらの基は、通常の置換基を有していてもよい。置換基は、例えば、１〜６個の炭素原子を有する直鎖状および分岐鎖状のアルキル基、例えば、メチル、エチル、プロピル、ブチル、ペンチル、２−メチルブチル、またはヘキシル；シクロアルキル基、例えば、シクロペンチルおよびシクロヘキシル；芳香族基、例えば、フェニルまたはナフチル；アミノ基、ヒドロキシル基、エーテル基、エステル基、およびハロゲン化物である。
【０１０４】
本発明により、芳香族基は、好ましくは６〜２０個、とりわけ６〜１２個の炭素原子を有する単環式または多環式芳香族化合物の基を意味する。ヘテロ芳香族基は、少なくとも１つのＣＨ基がＮで置換されているアリール基および／または少なくとも２つの隣接するＣＨ基がＳ、ＮＨ、またはＯで置換されているアリール基を意味し、ヘテロ芳香族基は３〜１９個の炭素原子を有する。
【０１０５】
本発明により好ましい芳香族基またはヘテロ芳香族基は、ベンゼン、ナフタレン、ビフェニル、ジフェニルエーテル、ジフェニルメタン、ジフェニルジメチルメタン、ビスフェノン、ジフェニルスルホン、チオフェン、フラン、ピロール、チアゾール、オキサゾール、イミダゾール、イソチアゾール、イソオキサゾール、ピラゾール、１，３，４−オキサジアゾール、２，５−ジフェニル−１，３，４−オキサジアゾール、１，３，４−チアジアゾ−ル、１，３，４−トリアゾール、２，５−ジフェニル−１，３，４−トリアゾール、１，２，５−トリフェニル−１，３，４−トリアゾール、１，２，４−オキサジアゾール、１，２，４−チアジアゾール、１，２，４−トリアゾール、１，２，３−トリアゾール、１，２，３，４−テトラゾール、ベンゾ［ｂ］チオフェン、ベンゾ［ｂ］フラン、インドール、ベンゾ［ｃ］チオフェン、ベンゾ［ｃ］フラン、イソインドール、ベンゾオキサゾール、ベンゾチアゾール、ベンゾイミダゾール、ベンゾイソオキサゾール、ベンゾイソチアゾール、ベンゾピラゾール、ベンゾチアジアゾール、ベンゾトリアゾール、ジベンゾフラン、ジベンゾチオフェン、カルバゾール、ピリジン、ビピリジン、ピラジン、ピラゾール、ピリミジン、ピリダジン、１，３，５−トリアジン、１，２，４−トリアジン、１，２，４，５−トリアジン、テトラジン、キノリン、イソキノリン、キノキサリン、キナゾリン、シンノリン、１，８−ナフチリジン、１，５−ナフチリジン、１，６−ナフチリジン、１，７−ナフチリジン、フタラジン、ピリドピリミジン、プリン、プテリジン、またはキノリジン、４Ｈ−キノリジン、ジフェニルエーテル、アントラセン、ベンゾピロール、ベンゾオキサチアジアゾール、ベンゾオキサジアゾール、ベンゾピリジン、ベンゾピラジン、ベンゾピラジジン、ベンゾピリミジン、ベンゾトリアジン、インドリジン、ピリドピリジン、イミダゾピリミジン、ピラジノピリミジン、カルバゾール、アシリジン、フェナジン、ベンゾキノリン、フェノキサジン、フェノチアジン、アクリジジン、ベンゾプテリジン、フェナントロリン、およびフェナントレンに由来し、それぞれ場合により置換されていてもよい。
【０１０６】
好ましいアルキル基としては、メチル、エチル、プロピル、イソプロピル、１−ブチル、２−ブチル、２−メチルプロピル、ｔｅｒｔ−ブチル基、ペンチル、２−メチルブチル、１，１−ジメチルプロピル、ヘキシル、ヘプチル、オクチル、１，１，３，３−テトラメチルブチル、ノニル、１−デシル、２−デシル、ウンデシル、ドデシル、ペンタデシル、およびエイコシル基が挙げられる。
【０１０７】
好ましいシクロアルキル基としては、シクロプロピル、シクロブチル、シクロペンチル、シクロヘキシル、シクロヘプチル、およびシクロオクチル基が挙げられ、それぞれ場合により分岐鎖状または非分岐鎖状アルキル基で置換されていてもよい。
【０１０８】
好ましいアルカノイル基としては、ホルミル、アセチル、プロピオニル、２−メチルプロピオニル、ブチリル、バレロイル、ピバロイル、ヘキサノイル、デカノイル、およびデカノイル基が挙げられる。
【０１０９】
好ましいアルコキシカルボニル基としては、メトキシカルボニル、エトキシカルボニル、プロポキシカルボニル、ブトキシカルボニル、ｔｅｒｔ−ブトキシカルボニル、ヘキシルオキシカルボニル、２−メチルヘキシルオキシカルボニル、デシルオキシカルボニル、またはドデシルオキシカルボニル基が挙げられる。
【０１１０】
好ましいアルコキシ基としては、炭化水素基が前述の好ましいアルキル基のうちの１つであるアルコキシ基が挙げられる。
【０１１１】
好ましいシクロアルコキシ基としては、炭化水素基が前述の好ましいシクロアルキル基のうちの１つであるシクロアルコキシ基が挙げられる。
【０１１２】
Ｒ10基に存在する好ましいヘテロ原子としては、酸素、窒素、硫黄、ホウ素、ケイ素、およびリンが挙げられ、酸素および窒素が好ましい。
【０１１３】
Ｒ10基は、少なくとも１個の、好ましくは少なくとも２個の、優先的には少なくとも３個のヘテロ原子を含む。
【０１１４】
式（ＩＶ）のエステル化合物におけるＲ10基は、好ましくは、少なくとも２個の異なるヘテロ原子を有する。この場合、式（ＩＶ）のエステル化合物の少なくとも１つにおけるＲ10基は、少なくとも１個の窒素原子および少なくとも１個の酸素原子を含む。
【０１１５】
式（ＩＶ）のエチレン性不飽和極性エステル化合物の例としては、アミノアルキル（メタ）アクリレート、アミノアルキル（メタ）アクリルアミド、ヒドロキシアルキル（メタ）アクリレート、エーテルアルコールの（メタ）アクリレート、複素環式（メタ）アクリレート、および／またはカルボニル含有（メタ）アクリレートが挙げられる。
【０１１６】
ヒドロキシアルキル（メタ）アクリレートとしては、
２−ヒドロキシプロピル（メタ）アクリレート、
３，４−ジヒドロキシブチル（メタ）アクリレート、
２−ヒドロキシエチル（メタ）アクリレート、
３−ヒドロキシプロピル（メタ）アクリレート、
２，５−ジメチル−１，６−ヘキサンジオール（メタ）アクリレート、および
１，１０−デカンジオール（メタ）アクリレート
が挙げられる。
【０１１７】
エーテルアルコールの（メタ）アクリレートとしては、
テトラヒドロフルフリル（メタ）アクリレート、メトキシエトキシエチル（メタ）アクリレート、１−ブトキシプロピル（メタ）アクリレート、シクロヘキシルオキシエチル（メタ）アクリレート、プロポキシエトキシエチル（メタ）アクリレート、ベンジルオキシエチル（メタ）アクリレート、フルフリル（メタ）アクリレート、２−ブトキシエチル（メタ）アクリレート、２−エトキシ−２−エトキシエチル（メタ）アクリレート、２−メトキシ−２−エトキシプロピル（メタ）アクリレート、エトキシ化（メタ）アクリレート、１−エトキシブチル（メタ）アクリレート、メトキシエチル（メタ）アクリレート、２−エトキシ−２−エトキシ−２−エトキシエチル（メタ）アクリレート、（メタ）アクリル酸のエステル、およびメトキシポリエチレングリコール
が挙げられる。
【０１１８】
適切なカルボニル含有（メタ）アクリレートとしては、例えば、
２−カルボキシエチル（メタ）アクリレート、
カルボキシメチル（メタ）アクリレート、
オキサゾリジニルエチル（メタ）アクリレート、
Ｎ−（メタクリロイルオキシ）ホルムアミド、
アセトニル（メタ）アクリレート、
モノ−２−（メタ）アクリロイルオキシエチルスクシネート、
Ｎ−（メタ）アクリロイルモルホリン、
Ｎ−（メタ）アクリロイル−２−ピロリジノン、
Ｎ−（２−（メタ）アクリロイルオキシエチル）−２−ピロリジノン、
Ｎ−（３−（メタ）アクリロイルオキシプロピル）−２−ピロリジノン、
Ｎ−（２−（メタ）アクリロイルオキシペンタデシル）−２−ピロリジノン、
Ｎ−（３−（メタ）アクリロイルオキシヘプタデシル）−２−ピロリジノン、および
Ｎ−（２−（メタ）アクリロイルオキシエチル）エチレン尿素など
が挙げられる。
２−アセトアセトキシエチル（メタ）アクリレート
複素環式（メタ）アクリレートとしては、
２−（１−イミダゾリル）エチル（メタ）アクリレート、
２−（４−モルホリニル）エチル（メタ）アクリレート、および
１−（２−（メタ）アクリロイルオキシエチル）−２−ピロリドン
が挙げられる。
【０１１９】
さらに、アミノアルキル（メタ）アクリレート、およびアミノアルキル（メタ）アクリルアミド、例えば、
ジメチルアミノプロピル（メタ）アクリレート、
ジメチルアミノジジグリコール（メタ）アクリレート、
ジメチルアミノエチル（メタ）アクリレート、
ジメチルアミノプロピル（メタ）アクリルアミド、
３−ジエチルアミノペンチル（メタ）アクリレート、および
３−ジブチルアミノヘキサデシル（メタ）アクリレート
は、特に興味深い。
【０１２０】
さらに、分散性ユニットとして、リン含有、ホウ素含有、および／またはケイ素含有（メタ）アクリレート、例えば、
２−（ジメチルホスファト）プロピル（メタ）アクリレート、
２−（エチレンホスフィト）プロピル（メタ）アクリレート、
ジメチルホスフィノメチル（メタ）アクリレート、
ジメチルホスホノエチル（メタ）アクリレート、
ジエチル（メタ）アクリロイルホスホネート、
ジプロピル（メタ）アクリロイルホスフェート、２−（ジブチルホスホノ）エチル（メタ）アクリレート、
２，３−ブチレン（メタ）アクリロイルエチルボレート、
メチルジエトキシ（メタ）アクリロイルエトキシシラン、
ジエチルホスファトエチル（メタ）アクリレート
を使用することができる。
【０１２１】
好ましい複素環式ビニル化合物としては、２−ビニルピリジン、３−ビニルピリジン、２−メチル−５−ビニルピリジン、３−エチル−４−ビニルピリジン、２，３ジメチル−５−ビニルピリジン、ビニルピリミジン、ビニルピペリジン、９−ビニルカルバゾール、３−ビニルカルバゾール、４−ビニルカルバゾール、１−ビニルイミダゾール、Ｎ−ビニルイミダゾール、２−メチル−１−ビニルイミダゾール、Ｎ−ビニルピロリドン、２−ビニルピロリドン、Ｎ−ビニルピロリジン、３−ビニルピロリジン、Ｎ−ビニルカプロラクタム、Ｎ−ビニルブチロラクタム、ビニルオキソラン、ビニルフラン、ビニルチオフェン、ビニルチオラン、ビニルチアゾールおよび水素化ビニルチアゾール、ビニルオキサゾールおよび水素化ビニルオキサゾールが挙げられ、官能化のためにＮ−ビニルイミダゾールおよびＮ−ビニルピロリドンを使用するのが特に好ましい。
【０１２２】
上記において詳細に説明したモノマーは、単独で、または混合物として、使用することができる。
【０１２３】
とりわけ、エステル基を有し、２−ヒドロキシプロピルメタクリレート、２−ヒドロキシエチルメタクリレート、モノ−２−メタクリロイルオキシエチルスクシネート、Ｎ−（２−メタクリロイルオキシエチル）エチレン尿素、２−アセトアセトキシエチルメタクリレート、２−（４−モルホリニル）エチルメタクリレート、ジメチルアミノジグリコールメタクリレート、ジメチルアミノエチルメタクリレート、および／またはジメチルアミノプロピルメタクリルアミドを使用して得られるポリマーが特に興味深い。
【０１２４】
特定の改良は、Ｎ−ビニル−２−ピロリジンおよび／またはＮ−ビニル−２−ピロリドンを使用して得られる、エステル基を有するポリマーによって達成することができる。
【０１２５】
分散性モノマーおよび非分散性モノマーは、エステル基を有するポリマー内において統計的に分布され得る。統計的ポリマーにおける分散性繰り返しユニットの割合は、当該エステル基を有するポリマーの質量に対して、好ましくは０質量％〜２０質量％、より好ましくは１質量％〜１５質量％、最も好ましくは２．５質量％〜１０質量％である。
【０１２６】
より好ましくは、分散性繰り返しユニットは、ジメチルアミノプロピルメタクリルアミド（ＤＭＡＰＭＡ）および／またはジメチルアミノエチルメタクリレート（ＤＭＡＥＭＡ）から選択することができ、当該エステル基を有するポリマーの質量に対する分散性繰り返しユニットの量は、好ましくは０．５質量％〜１０質量％、より好ましくは１．２質量％〜５質量％である。
【０１２７】
より好ましくは、分散性繰り返しユニットは、２−（４−モルホリニル）エチルメタクリレート（ＭＯＥＭＡ）、２−ヒドロキシエチル（メタ）アクリレート（ＨＥＭＡ）、および／またはヒドロキシプロピルメタクリレート（ＨＰＭＡ）から選択することができ、当該エステル基を有するポリマーの質量に対する分散性繰り返しユニットの量は、好ましくは２質量％〜２０質量％、より好ましくは５質量％〜１０質量％である。
【０１２８】
本発明の別の態様により、当該エステル基を有するポリマーは、少量の分散性繰り返しユニットしか有し得ない。そのような態様により、当該分散性繰り返しユニットの割合は、当該エステル基を有するポリマーの質量に対して、好ましくは最大５％、より好ましくは最大２％、および最も好ましくは最大０．５％である。
【０１２９】
本発明の特定の態様により、当該発動機において使用される潤滑剤は、好ましくは、ポリマーの混合物を含み得、上記において言及されたように、当該ポリマーの少なくとも1種は相当量の分散性繰り返しユニットを有し、当該ポリマーの少なくとも１種は、少量の分散性繰り返しユニットを有する。
【０１３０】
本発明の好ましい実施形態により、当該エステル基を有するポリマーは、グラフトベースとして非分散性アルキル（メタ）アクリレートポリマーとグラフトレイヤーとして分散性モノマーとを有するグラフトコポリマーである。好ましくは、非分散性アルキル（メタ）アクリレートポリマーは、本質的に、上記および下記において定義されるような式（Ｉ）、（ＩＩ）、および（ＩＩＩ）による（メタ）アクリレートモノマーユニットを有する。グラフトコポリマーまたはブロックコポリマーにおける分散性繰り返しユニットの割合は、当該エステル基を有するポリマーの質量に対して、好ましくは０質量％〜２０質量％、より好ましくは１質量％〜１５質量％、最も好ましくは２．５質量％〜１０質量％である。
【０１３１】
当該分散性モノマーは、好ましくは、上記および下記において言及されるような複素環式ビニル化合物である。
【０１３２】
本発明のさらなる態様により、当該エステル基を有するポリマーは、少なくとも１つの極性ブロックおよび少なくとも１つの疎水性ブロックを有するアルキル（メタ）アクリレートポリマーである。
【０１３３】
好ましくは、当該極性ブロックは、式（ＩＶ）のモノマーおよび／または複素環式ビニル化合物に由来する少なくとも３つのユニットを含み、これらは、互いに直接結合している。
【０１３４】
好ましいポリマーは、少なくとも１つの疎水性ブロックおよび少なくとも１つの極性ブロックを有しており、当該極性ブロックは、少なくとも８個の繰り返しユニットを有し、当該極性ブロックにおける分散性繰り返しユニットの質量の割合は、当該極性ブロックの質量に対して、少なくとも３０質量％である。
【０１３５】
本発明の好ましいポリマーは、極性ブロックおよび疎水性ブロックを有し得る。用語「ブロック」は、この文脈において、ポリマーの部分を指す。ブロックは、本質的に、１つ以上のモノマーユニットから構成される一定の組成を有し得る。さらに、当該ブロックは、勾配を有していてもよく、その場合、異なるモノマーユニット（繰り返しユニット）の濃度が、セグメント長にわたって変化する。極性ブロックは、分散性モノマーの割合により、疎水性ブロックと異なる。当該疎水性ブロックは、せいぜい少量の分散性繰り返しユニット（モノマーユニット）を有し得るのに対し、極性ブロックは、多量の分散性繰り返しユニット（モノマーユニット）を含む。
【０１３６】
極性ブロックは、好ましくは、少なくとも８個、とりわけ好ましくは少なくとも１２個、最も好ましくは少なくとも１５個の繰り返しユニットを含み得る。同時に、当該極性ブロックは、当該極性ブロックの質量に対して、少なくとも３０質量％、好ましくは少なくとも４０質量％の分散性繰り返しユニットを含む。当該極性ブロックは、分散性繰り返しユニットに加えて、いかなる分散性効果も持たない繰り返しユニットも有し得る。当該極性ブロックは、異なる繰り返しユニットがセグメント長にわたってランダム分布を有する、ランダム構造を有していてもよい。さらに、当該極性ブロックは、当該極性ブロック内の非分散性繰り返しユニットおよび分散性繰り返しユニットが不均一な分布を有する、ブロック構造または勾配形態の構造を有し得る。
【０１３７】
疎水性ブロックは、少量の分散性繰り返しユニットを含み得、当該ユニットは、当該疎水性ブロックの質量に対して、好ましくは２０質量％未満、より好ましくは１０質量％未満、最も好ましくは５質量％未満である。特に適切な構成において、当該疎水性ブロックは、本質的に、分散性繰り返しユニットを含まない。
【０１３８】
当該エステル基を有するポリマーの疎水性ブロックは、５〜１００質量％、とりわけ２０〜９８質量％、好ましくは３０〜９５質量％、最も好ましくは７０〜９２質量％の、アルコール基に７〜１５個の炭素原子を有するエステルモノマーに由来する繰り返しユニットを有し得る。
【０１３９】
特定の態様において、当該エステル基を有するポリマーの疎水性ブロックは、０〜８０質量％、好ましくは０．５〜６０質量％、より好ましくは２〜５０質量％、最も好ましくは５〜２０質量％の、アルコール基に１６〜４０００個の炭素原子を有するエステルモノマーに由来する繰り返しユニットを有し得る。
【０１４０】
さらに、当該エステル基を有するポリマーの疎水性ブロックは、０〜４０質量％、好ましくは０．１〜３０質量％、より好ましくは０．５〜２０質量％の、アルコール基に１〜６個の炭素原子を有するエステルモノマーに由来する繰り返しユニットを有し得る。
【０１４１】
当該エステル基を有するポリマーの疎水性ブロックは、好ましくは少なくとも４０質量％、より好ましくは少なくとも６０質量％、とりわけ好ましくは少なくとも８０質量％、最も好ましくは少なくとも９０質量％の、エステルモノマーに由来する繰り返しユニットを含む。
【０１４２】
疎水性ブロック長は、広い範囲内で変わり得る。当該疎水性ブロックは、好ましくは、少なくとも１０、とりわけ少なくとも４０の質量平均重合度を有する。当該疎水性ブロックの質量平均重合度は、好ましくは２０〜５０００、とりわけ５０〜２０００である。
【０１４３】
分散性繰り返しユニットの割合は、エステル基を有するポリマーの質量に対して、好ましくは０．５質量％〜２０質量％、より好ましくは１．５質量％〜１５質量％、最も好ましくは２．５質量％〜１０質量％である。同時に、これらの繰り返しユニットは、好ましくは、分散性繰り返しユニットの総質量に対して好ましくは少なくとも７０質量％、より好ましくは少なくとも８０質量％が極性ブロックの一部であるように、エステル基を有するポリマー内においてセグメント様の構造を形成する。
【０１４４】
好ましくは、疎水性ブロックと極性ブロックの質量比は、１００：１〜１：１、より好ましくは３０：１〜２：１、最も好ましくは１０：１〜４：１である。
【０１４５】
上記において説明した組成物からの、エステル基を有するポリマーの製造は、それ自体公知である。したがって、これらのポリマーは、特に、フリーラジカル重合および関連するプロセス、例えば、ＡＴＲＰ（＝原子移動ラジカル重合）またはＲＡＦＴ（＝可逆的付加開裂連鎖移動）など、によって得られる。
【０１４６】
通例のフリーラジカル重合については、とりわけ、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，  Ｓｉｘｔｈ  Ｅｄｉｔｉｏｎに記載されている。一般的に、この目的のために、重合開始剤および連鎖移動剤が使用される。使用可能な開始剤としては、当該技術分野において広く知られているアゾ開始剤、例えば、ＡＩＢＮおよび１，１−アゾビスシクロヘキサンカルボニトリルなど、ならびにペルオキシ化合物、例えば、メチルエチルケトンペルオキシド、アセチルアセトンペルオキシド、ジラウリルペルオキシド、ｔｅｒｔ−ブチルペル−２−エチルヘキサノエート、ケトンペルオキシド、ｔｅｒｔ−ブチルペルオクトエート、メチルイソブチルケトンペルオキシド、シクロヘキサノンペルオキシド、ジベンゾイルペルオキシド、ｔｅｒｔ−ブチルペルオキシベンゾエート、ｔｅｒｔ−ブチルペルオキシイソプロピルカーボネート、２，５−ビス（２−エチルヘキサノイルペルオキシ）−２，５−ジメチルヘキサン、ｔｅｒｔ−ブチルペルオキシ−２−エチルヘキサノエート、ｔｅｒｔ−ブチルペルオキシ−３，５，５−トリメチルヘキサノエート、ジクミルペルオキシド、１，１−ビス（ｔｅｒｔ−ブチルペルオキシ）シクロヘキサン、１，１−ビス（ｔｅｒｔ−ブチルペルオキシ）−３，３，５−トリメチルシクロヘキサン、クミルヒドロペルオキシド、ｔｅｒｔ−ブチルヒドロペルオキシド、ビス（４−ｔｅｒｔ−ブチルシクロヘキシル）ペルオキシジカーボネート、前述の化合物のうちの２種以上と別の１種との混合物、ならびに前述の化合物と言及はされていないが同様にフリーラジカルを形成することができる化合物との混合物が挙げられる。好適な連鎖移動剤は、特に、油溶性のメルカプタン、例えば、ｎ−ドデシルメルカプタンまたは２−メルカプトエタノール、あるいはテルペンのクラスの連鎖移動剤、例えば、テルピノレン、である。
【０１４７】
ＡＴＲＰプロセスは、それ自体公知である。それは、「リビング」フリーラジカル重合であることが想定され、当該メカニズムの説明が制限を課すべきとの意図はない。これらのプロセスでは、遷移金属化合物が、転位可能な原子団を有する化合物と反応する。これは、転位可能な原子団を遷移金属化合物へと移動させ、それにより、当該金属を酸化する。この反応は、エチレン性基上に付加する基を形成する。しかしながら、遷移金属化合物への原子団の移動は、可逆的であり、そのため、当該原子団は、成長するポリマー鎖へ戻り、これによって、制御された重合系が形成される。ポリマーの構造、分子量、および分子量分布は、それに応じて制御することができる。
【０１４８】
この反応は、例えば、Ｊ−Ｓ．Ｗａｎｇ，  ｅｔ  ａｌ．，Ｊ．Ａｍ．Ｃｈｅｍ．Ｓｏｃ．，ｖｏｌ．１１７，ｐ．５６１４―５６１５（１９９５）、Ｍａｔｙｊａｓｚｅｗｓｋｉ，Ｍａｃｒｏｍｏｌｅｃｕｌｅｓ，ｖｏｌ．２８，ｐ．７９０１―７９１０（１９９５）に記載されている。さらに、特許出願：国際公開第９６／３０４２１号、同第９７／４７６６１号、同第９７／１８２４７号、同第９８／４０４１５号、および同第９９／１０３８７号では、上記において説明されるＡＴＲＰの変形が開示されている。
【０１４９】
さらに、本発明のポリマーは、例えば、ＲＡＦＴ法によっても得られる。このプロセスは、例えば、国際公開第９８／０１４７８号および同第２００４／０８３１６９号において詳細に提示されており、開示目的のために明確に言及している。
【０１５０】
さらに、本発明のポリマーは、ＮＭＰプロセス（ニトロキシド媒介重合法）によって得られ、これは、とりわけ、米国特許第４５８１４２９号に記載されている。
【０１５１】
これらの方法は、特に、さらなる参考文献、とりわけ、Ｋ．Ｍａｔｙｊａｓｚｅｗｓｋｉ，Ｔ．Ｐ．Ｄａｖｉｓ，Ｈａｎｄｂｏｏｋ  ｏｆ  Ｒａｄｉｃａｌ  Ｐｏｌｙｍｅｒｉｚａｔｉｏｎ，Ｗｉｌｅｙ  Ｉｎｔｅｒｓｃｉｅｎｃｅ，Ｈｏｂｏｋｅｎ  ２００２に包括的に記載されており、開示目的のために明確に言及している。
【０１５２】
当該重合は、標準圧力、減圧、または加圧において実施することができる。当該重合温度は、概して、−２０℃〜２００℃、好ましくは０℃〜１６０℃、より好ましくは６０℃〜１４０℃である。
【０１５３】
当該重合は、溶媒を用いてまたは用いずに、実施することができる。溶媒なる用語は、ここでは、広い意味で理解されるべきある。
【０１５４】
当該重合は、好ましくは、非極性溶媒中において実施される。これらの溶媒としては、炭化水素溶媒、例えば、芳香族溶媒、例えば、トルエン、ベンゼン、およびキシレン、飽和炭化水素、例えば、シクロヘキサン、ヘプタン、オクタン、ノナン、デカン、ドデカン、が挙げられ、これらは、分岐形態で存在していてもよい。これらの溶媒は、個別に、ならびに混合物として、使用され得る。特に好ましい溶媒は、鉱油、鉱物由来のディーゼル燃料、天然の植物油および動物油、バイオディーゼル燃料、ならびに合成油（例えば、ジノニルアジペートなどのエステル油）、ならびにそれらの混合物である。これらのうち、非常に特に好ましいのは、鉱油および鉱物ディーゼル燃料である。
【０１５５】
本発明の特定の態様により、エチルビニルアセテートをベースとするポリマーは、エステル基を有するポリマーとして使用することができる。エチルビニルアセテートをベースとする好ましいポリマーは、欧州特許第０７３９９７１（Ｂ１）号、同第０７２１４９２（Ｂ２）号、および同第０７４１１８１（Ｂ１）号に記載されている。出願番号９６２０２１３６．６において１９９３年６月２９日に欧州特許庁に出願された文献欧州特許第０７３９９７１（Ｂ１）号；出願番号９４９２４２８０．４において１９９４年７月２２日に欧州特許庁に出願された欧州特許第０７２１４９２（Ｂ２）号および出願番号９６２０２１３７．４において１９９３年６月２９日に欧州特許庁に出願された欧州特許第０７４１１８１（Ｂ１）号は、参考として本明細書で援用される。
【０１５６】
好ましくは、バイオディーゼル混入物を含む潤滑油の特性を改良するために、様々なエチレンビニルアセテート（ＥＶＡ）ベースのポリマーの混合物を使用することができる。第一ＥＶＡベースのポリマーは、エチレン、酢酸ビニル、ならびに（メタ）アクリレート、フマレート、および／またはマレエートのアルキルエステルを含み得る。当該アルキルエステルは、好ましくは、アルキル残基に６〜２０個、より好ましくは７〜１２個の炭素原子を含有する。フマレートおよび／またはマレエートに関しては、ジエステルが好ましい。当該第一ＥＶＡポリマーは、好ましくは、５０〜９０ｍｏｌ％のエチレン含有量および１０〜４０ｍｏｌ％のビニルアセテート含有量を有する。（メタ）アクリレート、フマレート、および／またはマレエートに由来するアルキルエステルの量は、好ましくは１〜２０ｍｏｌ％、より好ましくは２〜１０ｍｏｌ％である。当該第一ＥＶＡポリマーの質量平均分子量Ｍｗは、好ましくは、１００００〜５００００ｇ／ｍｏｌの範囲に設定され得る。当該第一ＥＶＡポリマーの多分散度Ｍｗ／Ｍｎは、好ましくは１．１〜５、より好ましくは１．５〜３である。第二ＥＶＡポリマーは、好ましくは６０〜９５ｍｏｌ％のエチレン含有量および５〜４０ｍｏｌ％のビニルアセテート含有量を有する。当該第二ＥＶＡポリマーの質量平均分子量Ｍｗは、好ましくは、１０００〜１００００ｇ／ｍｏｌの範囲に設定され得る。当該第二ＥＶＡポリマーの多分散度Ｍｗ／Ｍｎは、好ましくは１．１〜５、より好ましくは２．０〜４である。
【０１５７】
好ましくは、潤滑剤は、少なくとも２種のエステル基を有するポリマーによる混合物を含む。より好ましくは、潤滑剤は、上記および下記において言及されるような、アルキル（メタ）アクリレートポリマーおよびエチレン酢酸ビニルポリマーを含む。
【０１５８】
本発明の特定の態様により、本発明の発動機の潤滑剤は、好ましくは、エステル基を有するポリマーならびに好ましくは粘度指数向上効果および増粘効果を有するオレフィン性ポリマーを含む。そのようなポリオレフィンは、長く公知であり、先行技術において言及される文献に記載されている。
【０１５９】
これらのポリオレフィンとしては、特に、ポリオレフィンコポリマー（ＯＣＰ）および水素化スチレン／ジエンコポリマー（ＨＳＤ）が挙げられる。
【０１６０】
本発明により使用されるポリオレフィンコポリマー（ＯＣＰ）は、それ自体公知である。既に粘度指数向上剤として推薦されているような、主として、エチレン−、プロピレン−、イソプレン−、ブチレン−、および／または、５〜２０個の炭素原子を有するさらなるオレフィンから合成されたポリマーである。少量の酸素含有または窒素含有モノマー（例えば、０．０５〜５質量％の無水マレイン酸）によってグラフト化されている系も使用され得る。ジエン成分を含有するコポリマーは、一般的に、粘度指数向上剤の酸化感受性および架橋傾向を減じるために水素化される。
【０１６１】
分子量Ｍｗは、概して、１０，０００〜３００，０００、好ましくは５０，０００〜１５０，０００である。そのようなオレフィンコポリマーは、例えば、独国の特許出願公開である独国特許出願公開第１６４４９４１号、同第１７６９８３４号、同第１９３９０３７号、同第１９６３０３９号、および同第２０５９９８１号に記載されている。
【０１６２】
エチレン／プロピレンコポリマーは、特に有用であり、既知の三成分を有するターポリマー、例えば、エチリデン−ノルボルネン（Ｍａｃｒｏｍｏｌｅｃｕｌａｒ  Ｒｅｖｉｅｗｓ，Ｖｏｌ．１０（１９７５）を参照のこと）も可能であるが、それらの架橋傾向も、劣化プロセスにおいて考慮しなければならない。分布は、実質的にランダムであり得るが、エチレンブロックを含む連続ポリマーも、有利に使用することができる。エチレンモノマー／プロピレンモノマーの比は、ある制限内において可変であり、それは、上限としてエチレンの場合は約７５％およびプロピレンの場合は約８０％までに設定することができる。油中に溶解する傾向が減少するため、ポリプロピレンは、エチレン／プロピレンコポリマーほど好適ではない。支配的にアタクチックプロピレンを組み込まれたポリマーに加えて、より顕著にアイソタクチックまたはシンジオタクチックプロピレンを組み込まれたポリマーも使用され得る。
【０１６３】
そのような生成物は、例えば、商標名Ｄｕｔｒａｌ（登録商標）ＣＯ  ０３４、Ｄｕｔｒａｌ（登録商標）ＣＯ  ０３８、Ｄｕｔｒａｌ（登録商標）ＣＯ  ０４３、Ｄｕｔｒａｌ（登録商標）ＣＯ  ０５８、Ｂｕｎａ（登録商標）ＥＰＧ  ２０５０、またはＢｕｎａ（登録商標）ＥＰＧ  ５０５０で市販されている。
【０１６４】
同様に、水素化スチレン／ジエンコポリマー（ＨＳＤ）は公知であり、これらのポリマーは、例えば、独国特許第２１５６１２２号に記載されている。それらは、概して、水素化イソプレン／スチレンコポリマーまたは水素化ブタジエン／スチレンコポリマーである。ジエンとスチレンの比は、好ましくは、２：１〜１：２であり、特に好ましくは約５５：４５である。分子量Ｍｗは、一般的に、１０  ０００〜３００  ０００、好ましくは５０  ００〜１５０  ０００である。本発明の特定の態様により、水素化の後の二重結合の割合は、水素化の前の二重結合の数に対して、１５％以下、特に好ましくは５％以下である。
【０１６５】
水素化スチレン／ジエンコポリマーは、商標名ＳＨＥＬＬＶＩＳ（登録商標）５０、１５０、２００、２５０、または２６０で市販されている。
【０１６６】
本発明の非常に好ましい実施形態により、エステル基を有するポリマーは、エステル基含有ユニットのブロックおよびオレフィン性ブロックを含むブロックコポリマーである。好ましくは、当該オレフィン性ブロックは、ＨＳＤポリマーおよび／またはＯＣＰポリマーに由来する。
【０１６７】
エステル基含有ユニットのブロックおよびオレフィン性ブロックを有するブロックコポリマーは、１９８３年１０月２８日に独国特許庁（Ｄｅｕｔｓｃｈｅｓ  Ｐａｔｅｎｔａｍｔ）に出願された、出願番号Ｐ３３３９１０３．３を有する独国特許出願公開第３３３９１０３（Ａ１）号、および１９７９年２月１６日に独国特許庁（Ｄｅｕｔｓｃｈｅｓ  Ｐａｔｅｎｔａｍｔ）に出願された、出願番号Ｐ２９０５９５４．９を有する独国特許出願公開第２９０５９５４（Ａ１）号といった刊行物に開示されており、当該文献は参考として本明細書で援用される。
【０１６８】
本発明の発動機において使用される潤滑剤は、エステル基を有するポリマーに加え、基油を含む。好ましい基油としては、とりわけ、鉱油、合成オイル、および天然油が挙げられる。
【０１６９】
鉱油は、それ自体公知であり、市販されている。それらは、一般的に、蒸留および／または精留ならびに場合によりさらなる精製および仕上げ工程により、鉱油または原油から得られ、鉱油なる用語は、特に原油または鉱油の高沸点留分を包含する。一般的に、鉱油の沸点は、５０００Ｐａにおいて２００℃超、好ましくは３００℃超である。シェール油の低温乾留、瀝青炭のコークス化、空気の排除を伴う褐炭の蒸留、ならびに瀝青炭および褐炭の水添による製造も、同様に可能である。したがって、鉱油は、それらの由来元に応じて、異なる割合の芳香族炭化水素、環状炭化水素、分岐鎖状および直鎖状炭化水素を有する。
【０１７０】
一般的に、原油または鉱油におけるパラフィンベース留分、ナフテン留分、および芳香族留分の間で区別され、パラフィンベース留分なる用語は、より長い鎖または高度に分岐したイソアルカンを表し、ナフテン留分は、シクロアルカンを表す。さらに、鉱油は、それらの由来元および仕上げ工程に応じて、ｎ−アルカンの様々な留分、モノ−メチル−分岐パラフィンとして知られる低い分岐度を有するイソアルカン、ならびにある程度の極性特性の原因であるヘテロ原子、特にＯ、Ｎ、および／またはＳを有する化合物、を有する。しかしながら、個々のアルカン分子が、長鎖分岐基およびシクロアルカン基の両方、ならびに芳香族部分を有する場合もあるので、明確な線引きは困難である。本発明の目的のため、例えば、ＤＩＮ５１  ３７８に従って線引きをすることができる。極性留分も、ＡＳＴＭ  Ｄ  ２００７に従って特定することができる。
【０１７１】
好ましい鉱油におけるｎ−アルカンの割合は、３質量％未満であり、Ｏ含有、Ｎ含有、および／またはＳ含有化合物の留分は、６質量％未満である。芳香族およびモノ−メチル−分岐パラフィンの留分は、概して、各場合、０〜４０質量％である。興味深い一態様において、鉱油は、概して１３個超、好ましくは１８個超、最も好ましくは２０個超の炭素原子を有するナフテンアルカンおよびパラフィンベースのアルカンを主に含む。これらの化合物の留分は、概して、≧６０質量％、好ましくは≧８０質量％であるが、これによってある制限を課すべきとの意図はない。好ましい鉱油は、各場合において、当該鉱油の総質量に対して、０．５〜３０質量％の芳香族留分、１５〜４０質量％のナフテン留分、３５〜８０質量％のパラフィンベースの留分、３質量％までのｎ−アルカン、および０．０５〜５質量％の極性化合物を含有する。
【０１７２】
従来の方法、例えば、尿素分離およびシリカゲルでの液体クロマトグラフィなど、によって行われた特定の好ましい鉱油における分析は、例えば、以下の成分を示しており、なお、百分率は、使用された特定の鉱油の総質量に対するものである：
約１８〜３１個の炭素原子を有するｎ−アルカン：
０．７〜１．０％、
１８〜３１個の炭素原子を有するわずかに分岐したアルカン：
１．０〜８．０％、
１４〜３２個の炭素原子を有する芳香族：
０．４〜１０．７％、
２０〜３２個の炭素原子を有するイソアルカンおよびシクロアルカン：
６０．７〜８２．４％、
極性化合物：
０．１〜０．８％、
損失：
６．９〜１９．４％。
【０１７３】
鉱油における改良されたクラス（硫黄含有量減少、窒素含有量減少、より高い粘度指数、より低い流動点）は、当該鉱油の水素処理（水素化異性化、水素化分解、水素化処理、水素化仕上）の結果として生じる。これは、水素の存在下において、本質的に芳香族成分を減らし、ナフテン成分を増やす。
【０１７４】
鉱油の分析ならびに様々な成分を有する鉱油の一覧に関する様々な情報は、例えば、Ｔ．Ｍａｎｇ，Ｗ．Ｄｒｅｓｅｌ（ｅｄｓ．）："Ｌｕｂｒｉｃａｎｔｓ  ａｎｄ  Ｌｕｂｒｉｃａｔｉｏｎ"，Ｗｉｌｅｙ−ＶＣＨ，Ｗｅｉｎｈｅｉｍ  ２００１；Ｒ．Ｍ．Ｍｏｒｔｉｅｒ，Ｓ．Ｔ．Ｏｒｓｚｕｌｉｋ（ｅｄｓ．）："Ｃｈｅｍｉｓｔｒｙ  ａｎｄ  Ｔｅｃｈｎｏｌｏｇｙ  ｏｆ  Ｌｕｂｒｉｃａｎｔｓ"，Ｂｌａｃｋｉｅ  Ａｃａｄｅｍｉｃ  ＆  Ｐｒｏｆｅｓｓｉｏｎａｌ，Ｌｏｎｄｏｎ，２ｎｄ  ｅｄ．１９９７；またはＪ．Ｂａｒｔｚ："Ａｄｄｉｔｉｖｅ  ｆｕｅｒ  Ｓｃｈｍｉｅｒｓｔｏｆｆｅ"，Ｅｘｐｅｒｔ−Ｖｅｒｌａｇ，Ｒｅｎｎｉｎｇｅｎ−Ｍａｌｍｓｈｅｉｍ  １９９４、に見出すことができる。好ましくは、当該鉱油は、Ｉ群、ＩＩ群、および／またはＩＩＩ群の油から選択することができ、ＩＩ群およびＩＩＩ群の油が好ましい。
【０１７５】
合成油としては、有機エステル、例えば、ジエステルおよびポリエステル、ポリアルキレングリコール、ポリエーテル、合成炭化水素、とりわけポリオレフィンが挙げられ、これらの中でも、ポリα−オレフィン（ＰＡＯ）、シリコーンオイル、およびペルフルオロアルキルエーテルが好ましい。さらに、ガス液化（ＧＴＬ）プロセス、石炭液化（ＣＴＬ）プロセス、またはバイオマス液化（ＢＴＬ）プロセスに由来する合成基油を使用することができる。それらは、通常、鉱油より幾分高価であるが、その性能に関して利点を有する。
【０１７６】
天然油は、動物油または植物油、例えば、牛脚油またはホホバ油である。
【０１７７】
潤滑油配合物のための基油は、ＡＰＩ（Ａｍｅｒｉｃａｎ  Ｐｅｔｒｏｌｅｕｍ  Ｉｎｓｔｉｔｕｔｅ：全米石油協会）により、いくつかの群に分けられる。鉱油は、Ｉ群（非水素化処理）と、飽和度、硫黄含有量、および粘度指数に応じて、ＩＩ群およびＩＩＩ群（両方とも水素化処理済み）とに分けられる。ＰＡＯは、ＩＶ群である。他のすべての基油は、Ｖ群に包含される。
【０１７８】
これらの潤滑油は、混合物としても使用することができ、多くの場合、市販されている。
【０１７９】
潤滑油組成物中における、エステル基を有するポリマーの濃度は、当該組成物の総質量に対して、好ましくは０．０１〜３０質量％、より好ましくは０．１〜２０質量％、最も好ましくは０．５〜１０質量％である。
【０１８０】
当該エステル基を有するポリマーは、潤滑油と混合することができる。その上、当該ポリマーは、上記において言及したような潤滑油中において製造することができる。それに加えて、当該エステル基を有するポリマーは、濃縮物として、または添加剤パッケージの成分として使用することができる。当該エステル基を有するポリマーは、未使用油および／または老化油に添加してもよい。さらに、エステル基を有するポリマーは、直接、またはこれらのポリマーを含むディーゼル混合物を使用した希釈効果により間接的に、エンジン油に添加することができる。
【０１８１】
ここで詳細に説明される当該潤滑油組成物は、本発明による使用のためのエステル基を有するポリマーに加えて、さらなる添加剤も含み得る。これらの添加剤としては、粘度指数向上剤、流動点向上剤、およびＤＩ添加剤（分散剤、洗剤、消泡剤、腐食防止剤、酸化防止剤、耐摩耗添加剤および極圧添加剤、摩擦調整剤）が挙げられる。
【０１８２】
さらなる使用可能な粘度指数向上剤としては、ポリ（イソ）ブテン（ＰＩＢ）、フマレート−オレフィンコポリマー、スチレン−マレエートコポリマー、水素化スチレン−ジエンコポリマー（ＨＳＤ）、およびオレフィンコポリマー（ＯＣＰ）が挙げられる。
【０１８３】
潤滑油のための粘度指数向上剤および流動点向上剤の編集物は、Ｔ．Ｍａｎｇ，Ｗ．Ｄｒｅｓｅｌ（ｅｄｓ．）："Ｌｕｂｒｉｃａｎｔｓ  ａｎｄ  Ｌｕｂｒｉｃａｔｉｏｎ"，Ｗｉｌｅｙ−ＶＣＨ，Ｗｅｉｎｈｅｉｍ  ２００１：Ｒ．Ｍ．Ｍｏｒｔｉｅｒ，Ｓ．Ｔ．Ｏｒｓｚｕｌｉｋ（ｅｄｓ．）："Ｃｈｅｍｉｓｔｒｙ  ａｎｄ  Ｔｅｃｈｎｏｌｏｇｙ  ｏｆ  Ｌｕｂｒｉｃａｎｔｓ"，Ｂｌａｃｋｉｅ  Ａｃａｄｅｍｉｃ  ＆  Ｐｒｏｆｅｓｓｉｏｎａｌ，Ｌｏｎｄｏｎ，２ｎｄ  ｅｄ．１９９７；またはＪ．Ｂａｒｔｚ："Ａｄｄｉｔｉｖｅ  ｆｕｅｒ  Ｓｃｈｍｉｅｒｓｔｏｆｆｅ"，Ｅｘｐｅｒｔ−Ｖｅｒｌａｇ，Ｒｅｎｎｉｎｇｅｎ−Ｍａｌｍｓｈｅｉｍ  １９９４、に詳細に説明されている。
【０１８４】
適切な分散剤としては、ポリ（イソブチレン）誘導体、例えば、ポリ（イソブチレン）スクシンイミド（ＰＩＢＳＩ）；Ｎ／Ｏ官能基を有するエチレン−プロピレンオリゴマーが挙げられる。
【０１８５】
好ましい洗剤としては、金属含有化合物、例えば、フェノキシド；サリチレート；チオホスホネート、とりわけ、チオピロホスホネート、チオホスホネート、およびホスホネート；スルホネート、およびカーボネートが挙げられる。これらの化合物は、金属として、とりわけ、カルシウム、マグネシウム、およびバリウムを含み得る。これらの化合物は、好ましくは中性形態または過塩基性形態において使用され得る。
【０１８６】
さらに、多くの場合、シリコーン含有消泡剤とシリコーン不含消泡剤とに分けられる消泡剤が特に興味深い。シリコーン含有消泡剤としては、直鎖状ポリ（ジメチルシロキサン）および環状ポリ（ジメチルシロキサン）が挙げられる。使用可能なシリコーン不含消泡剤は、多くの場合、ポリエーテル、例えば、ポリ（エチレングリコール）またはトリブチルホスフェートである。
【０１８７】
特定の実施形態において、本発明の潤滑油組成物は、腐食防止剤を含み得る。これらは、多くの場合、防さび添加剤と、金属不動態化剤／不活性化剤とに分けられる。使用される防さび添加剤は、とりわけ、スルホネート、例えば石油スルホネート、または（多くの場合、過塩基性である）合成アルキルベンゼンスルホネート、例えば、ジノニルナフテンスルホネート；カルボン酸誘導体、例えば、ラノリン（羊毛脂）、酸化パラフィン、亜鉛ナフテネート、アルキル化コハク酸、４−ノニルフェノキシ−酢酸、アミド、およびイミド（Ｎ−アシルサルコシン、イミダゾリン誘導体）；アミン中性化されたモノアルキルホスフェートおよびジアルキルホスフェート；モルホリン、ジシクロヘキシルアミン、またはジエタノールアミンであり得る。金属不動態化剤／不活性化剤としては、ベンゾトリアゾール、トリルトリアゾール、２−メルカプトベンゾチアゾール、ジアルキル−２，５−ジメルカプト−１，３，４−チアジアゾール；Ｎ，Ｎ’−ジサリチリデンエチレンジアミン、Ｎ，Ｎ’−ジサリチリデンプロピレンジアミン；亜鉛ジアルキルジチオホスフェート、およびジアルキルジチオカルバメートが挙げられる。
【０１８８】
添加剤のさらに好ましい群は、酸化防止剤の群である。酸化防止剤としては、例えば、フェノール、例えば、２，６−ジ−ｔｅｒｔ−ブチルフェノール（２，６−ＤＴＢ）、ブチル化ヒドロキシトルエン（ＢＨＴ）、２，６−ジ−ｔｅｒｔ−ブチル−４−メチルフェノール、４，４’−メチレンビス（２，６−ジ−ｔｅｒｔ−ブチルフェノール）；芳香族アミン、とりわけ、アルキル化ジフェニルアミン、Ｎ−フェニル−１−ナフチルアミン（ＰＮＡ）、ポリマー性２，２，４−トリメチルジヒドロキノン（ＴＭＱ）；硫黄およびリンを含有する化合物、例えば、金属ジチオホスフェート、ジチオリン酸亜鉛（ＺｎＤＴＰ）、「ＯＯＳトリエステル」＝ジチオリン酸とオレフィンからの活性化された二重結合との反応生成物、シクロペンタジエン、ノルボルナジエン、α−ピネン、ポリブテン、アクリル酸エステル、マレイン酸エステル（燃焼において無灰）；有機硫黄化合物、例えば、ジアルキルスルフィド、ジアリールスルフィド、ポリスルフィド、変性チオール、チオフェン誘導体、キサンタート、チオグリコール、チオアルデヒド、硫黄含有カルボン酸；複素環式硫黄／窒素化合物、とりわけ、ジアルキルジメルカプトチアジアゾール、２−メルカプトベンゾイミダゾール；亜鉛およびメチレンビス（ジアルキルジチオカルバメート）；有機リン化合物、例えば、トリアリールホスフィットおよびトリアルキルホスフィット；有機銅化合物、ならびに過塩基性カルシウムベースおよびマグネシウムベースのフェノレートおよびサリチレートが挙げられる。
【０１８９】
好ましい耐摩耗添加剤（ＡＷ）および極圧（ＥＰ）添加剤としては、リン化合物、例えば、トリアルキルホスフェート、トリアリールホスフェート、例えば、トリクレジルホスフェート、アミン−中性化モノアルキルホスフェートおよびジアルキルホスフェート、エトキシ化モノアルキルホスフェートおよびジアルキルホスフェート、ホスフィット、ホスホネート、ホスフィン；硫黄およびリン含有化合物、例えば、金属ジチオホスフェート、例えば、亜鉛Ｃ3〜12ジアルキルジチオホスフェート（ＺｎＤＴＰ）、アンモニウムジアルキルジチオホスフェート、アンチモンジアルキルジチオホスフェート、モリブデンジアルキルジチオホスフェート、鉛ジアルキルジチオホスフェート、「ＯＯＳトリエステル」＝ジチオリン酸とオレフィンからの活性化された二重結合との反応生成物、シクロペンタジエン、ノルボルナジエン、α−ピネン、ポリブテン、アクリル酸エステル、マレイン酸エステル、トリフェニルホスホロチオネート（ＴＰＰＴ）；硫黄および窒素含有化合物、例えば、亜鉛ビス（アミルジチオカルバメート）またはメチレンビス（ジ−ｎ−ブチルジチオカルバメート）；硫黄元素含有硫黄化合物およびＨ2Ｓ−硫化炭化水素（ジイソブチレン、テルペン）；硫化グリセリドおよび脂肪酸エステル；過塩基性スルホネート；塩素化合物、あるいはグラファイトまたは二硫化モリブデンなどの固体が挙げられる。
【０１９０】
より好ましくは、耐摩耗添加剤および／または極圧添加剤は、リン化合物、硫黄およびリンを含む化合物、硫黄および窒素を含む化合物、硫黄元素を含む硫黄化合物およびＨ2Ｓ−硫化炭化水素、硫化グリセリドおよび硫化脂肪酸エステル、過塩基性スルホネート、塩素化合物、グラファイト、または二硫化モリブデンから選択される。
【０１９１】
添加剤のさらなる好ましい群は、摩擦調整剤の群である。使用される摩擦調整剤は、機械的活性な化合物、例えば、二硫化モリブデン、グラファイト（フッ素化されたグラファイトを含む）、ポリ（トリフルオロエチレン）、ポリアミド、ポリイミド；吸着層を形成する化合物、例えば、長鎖カルボン酸、脂肪酸エステル、エーテル、アルコール、アミン、アミド、イミド；トライボケミカル反応により層を形成する化合物、例えば、飽和脂肪酸、リン酸エステルおよびチオリン酸エステル、キサントゲネート、硫化脂肪酸；ポリマー様の層を形成する化合物、例えば、エトキシ化ジカルボン酸部分エステル、ジアルキルフタレート、メタクリレート、不飽和脂肪酸、硫化オレフィン、あるいは有機金属化合物、例えば、モリブデン化合物（モリブデンジチオホスフェートおよびモリブデンジチオカルバメートＭｏＤＴＣ）およびそれらのＺｎＤＴＰとの組み合わせ、銅含有有機化合物、を含み得る。
【０１９２】
上記において詳細に説明した添加剤のいくつかは、複数の機能を実現させ得る。例えば、ＺｎＤＴＰは、主に耐摩耗添加剤および極圧添加剤であるが、酸化防止剤および腐食防止剤（ここでは、金属不動態化剤／不活性化剤）の性質も有する。
【０１９３】
上記において詳細に説明した添加剤は、とりわけ、Ｔ．Ｍａｎｇ，Ｗ．Ｄｒｅｓｅｌ（ｅｄｓ．）："Ｌｕｂｒｉｃａｎｔｓ  ａｎｄ  Ｌｕｂｒｉｃａｔｉｏｎ"，Ｗｉｌｅｙ−ＶＣＨ，Ｗｅｉｎｈｅｉｍ  ２００１；Ｊ．Ｂａｒｔｚ："Ａｄｄｉｔｉｖｅ  ｆｕｅｒ  Ｓｃｈｍｉｅｒｓｔｏｆｆｅ"，Ｅｘｐｅｒｔ−Ｖｅｒｌａｇ，Ｒｅｎｎｉｎｇｅｎ−Ｍａｌｍｓｈｅｉｍ  １９９４；Ｒ．Ｍ．Ｍｏｒｔｉｅｒ，Ｓ．Ｔ．Ｏｒｓｚｕｌｉｋ（ｅｄｓ．）："Ｃｈｅｍｉｓｔｒｙ  ａｎｄ  Ｔｅｃｈｎｏｌｏｇｙ  ｏｆ  Ｌｕｂｒｉｃａｎｔｓ"，Ｂｌａｃｋｉｅ  Ａｃａｄｅｍｉｃ  ＆  Ｐｒｏｆｅｓｓｉｏｎａｌ，Ｌｏｎｄｏｎ，２ｎｄ  ｅｄ．１９９７により詳細に説明される。
【０１９４】
好ましい潤滑油組成物は、ＡＳＴＭ  Ｄ  ４４５に従った４０℃での測定において、１０〜１２０ｍｍ2／ｓ、より好ましくは２０〜１００ｍｍ2／ｓの粘度を有する。１００℃において測定した動粘度ＫＶ100は、好ましくは少なくとも３．５ｍｍ2／ｓ、とりわけ少なくとも４．０ｍｍ2／ｓ、より好ましくは少なくとも５．０ｍｍ2／ｓ、最も好ましくは少なくとも５．４ｍｍ2／ｓである。
【０１９５】
本発明の特定の態様において、好ましい潤滑油組成物は、１００〜４００、より好ましくは１２５〜３２５、最も好ましくは１５０〜２５０の、ＡＳＴＭ  Ｄ  ２２７０に従って測定された粘度指数を有する。
【０１９６】
その上、本発明の発動機における使用のための潤滑剤組成物は、好ましくは、ＡＳＴＭ  Ｄ４６８３に従った１５０℃での測定において、少なくとも２．４ｍＰａｓ、より好ましくは少なくとも２．６ｍＰａｓの高温高剪断（ＨＴＨＳ）粘度を有し得る。本発明のさらなる態様により、当該潤滑剤は、好ましくは、ＡＳＴＭ  Ｄ４６８３に従った１００℃での測定において、最大１０ｍＰａｓ、とりわけ最大７ｍＰａｓ、より好ましくは最大５ｍＰａｓの高温高剪断を有し得る。１００℃および１５０℃において測定された場合の高温高剪断（ＨＴＨＳ）粘度の差であるＨＴＨＳ100−ＨＴＨＳ150は、好ましくは、最大４ｍＰａｓ、とりわけ最大３．３ｍＰａｓ、より好ましくは最大２．５ｍＰａｓである。１５０℃において測定された高温高剪断（ＨＴＨＳ）粘度（ＨＴＨＳ150）に対する１００℃において測定した高温高剪断（ＨＴＨＳ）粘度（ＨＴＨＳ100）の比は、好ましくは、最大２．０ｍＰａｓ、とりわけ最大１．９ｍＰａｓを有する。高温高剪断（ＨＴＨＳ）粘度は、Ｄ４６８３に従って特定することができる。
【０１９７】
それに加えて、本発動機の成分として有用な潤滑剤は、高い剪断安定性指数（ＳＳＩ）を有し得る。本発明の有用な実施形態により、ＡＳＴＭ  Ｄ２６０３  参照Ｂ（１２．５分間の超音波処理）に従った測定における剪断安定性指数（ＳＳＩ）は、好ましくは、３５以下、より好ましくは２０以下となる。好ましくは、ＤＩＮ  ５１３８１（Ｂｏｓｃｈポンプでの３０サイクル）に従った測定における、最大５、とりわけ最大２、より好ましくは最大１の剪断安定性指数（ＳＳＩ）を有する潤滑剤を使用することができるであろう。
【０１９８】
本発明にとって有用な潤滑剤は、好ましくは、ＳＡＥ  Ｊ３００に指定されるようなＳＡＥ分類法の要件を満たすように設計することができる。例えば、粘度グレード０Ｗ、５Ｗ、１０Ｗ、１５Ｗ、２０Ｗ、２５Ｗ、２０、３０、４０、５０、および６０（シングルグレード）および０Ｗ−４０、１０Ｗ−３０、１０Ｗ−６０、１５Ｗ−４０、２０Ｗ−２０、および２０Ｗ−５０（マルチグレード）の要件に適合させることができるであろう。
【０１９９】
結果として、本発明の潤滑剤は、少なくとも約１体積％、とりわけ少なくとも５体積％、特に少なくとも１０体積％、より特に少なくとも２０体積％のバイオディーゼルを含有し得る。驚いたことに、そのような多量の水は、寿命、コールド走行性能、および燃料消費などの発動機特性において過度に大きな低下を生じない。
【０２００】
驚いたことに、モーター油の燃料希釈は、粘度および粘度指数などの特性ならびに低温性能に対して許容可能な影響しか及ぼさない。それに加え、当該添加剤は、モーター油中のバイオディーゼル燃料混入物に対して高い適合性を有しており、そのため、これらの添加剤の効率は、過度に低下しない。その上、バイオディーゼル燃料によって形成された微粒子およびスラッジは、とりわけ分散性基を有するポリマーが使用される場合、驚くべき方法により潤滑剤中に分散され得る。バイオディーゼル成分の影響に関して、キャノーラ油メチルエステル（ＲＭＥ）は、通常、多量の不飽和基を有する。したがって、分散性ユニットを有する潤滑剤が好ましい。一方、パーム油メチルエステル（ＰＭＥ）は、通常、低温性能に対して有害な影響を有する。そのような影響は、驚くべきことに、それぞれ本発動機およびエステル基含有ポリマーによって無効化することができる。
【０２０１】
ミニロータリー粘度計（ＭＲＶ）によって測定される、低温での油のポンプ圧送性は、エンジン始動時において、低剪断条件下での粘度に関係する。ＭＲＶ試験はポンプ圧送性の指標であるため、エンジン油は、適切な潤滑性を提供するようにエンジン始動後にすべてのエンジン部分へポンプ圧送できるように、十分に流動的でなければならない。ＡＳＴＭ  Ｄ−４６８４−０８は、−１０〜−４０℃の温度範囲での粘度計測を扱っており、ＴＰ−１  ＭＲＶ試験について説明する。ＳＡＥ  Ｊ３００  Ｅｎｇｉｎｅ  Ｏｉｌ  Ｖｉｓｃｏｓｉｔｙ  Ｃｌａｓｓｉｆｉｃａｔｉｏｎ（１９９９年１２月）では、ＡＳＴＭ  Ｄ−４６８４−０８試験手順を用いて、ＳＡＥ  ５Ｗ−３０油に対して−３５℃において６０パスカル＊秒（ｐａ＊ｓｅｃ）または６００ポイズの最大値が可能となる。ＴＰ−１  ＭＲＶ試験によって測定される低温性能の別の態様は、降伏応力（パスカルで記録される）であり、降伏応力の目標値は「ゼロ」パスカルであるが、３５パスカル（装置の感度限界）未満の任意の値は、「ゼロ」降伏応力として記録される。３５パスカル超の降伏応力値は、あまり望ましくない性能の程度の増加を意味する。
【０２０２】
本発動機によって達成可能な改良は、エンジン油の老化試料を使用することによって評価することができるであろう。老化試料は、ＣＥＣ（Ｃｏｏｒｄｉｎａｔｉｎｇ  Ｅｕｒｏｐｅａｎ  Ｃｏｕｎｃｉｌ）またはＧＦＣ（Ｇｒｏｕｐｅｍｅｎｔ  Ｆｒａｎｃａｉｓ  ｄｅ  Ｃｏｏｒｄｉｎａｔｉｏｎ）方法ＡもしくはＢ、またはＲＯＢＯ（Ｒｏｍａｓｚｅｗｓｋｉ  Ｏｉｌ  Ｂｅｎｃｈ  Ｏｘｉｄａｔｉｏｎ）試験によって報告されるような以下の試験方法手順のいずれかによって、またはエンジン油のための標準的酸化試験によって製造することができるであろう。
【０２０３】
本発明は、以下において、実施例および比較例によってより詳細に示されるが、本発明がこれらの実施例に限定されることは意図するところではない。すべての量は、特に指定がなければ、質量パーセントで表示される。
【０２０４】
実施例１および比較例１
未使用モーター油を、ディーゼル発動機において長期間使用した。この老化モーター油におけるバイオディーゼルの含有量が少なくとも５．５質量％であることを特定した（比較例１）。
【０２０５】
当該モーター油は、元来、仕様ＳＡＥ  ５Ｗ−３０を満たしているが、老化油は、特に低温性能に関して、当該仕様を満たしていなかった。当該老化モーター油は、約６７．８質量％のＬＭＡ、３２．０質量％のＳＭＡ、および０．２質量％のＤＰＭＡを含むポリアルキル（メタ）アクリレート組成物をベースとする０．１質量％の流動点降下剤を添加することによって改質している（実施例１）。
【０２０６】
ＬＭＡ（ラウリル−ミリスチルメタクリレート）は、直鎖であるアルキル残基に１２個および１４個の炭素原子を有するメタクリレート混合物である。
【０２０７】
ＤＰＭＡ（ドデシル−ペンタデシルメタクリレート）は、約２０質量％の分岐鎖状アルキル残基および約８０質量％の直鎖状アルキル残基を含むアルキル残基に１２〜１５個の炭素原子を有するメタクリレート混合物であり、ＳＭＡ（セチル−ステアリルメタクリレート）は、直鎖状のアルキル残基に主に１６個および１８個の炭素原子を有するメタクリレート混合物である。
【０２０８】
当該ポリアルキル（メタ）アクリレート組成物は、商標ＶＩＳＣＯＰＬＥＸ（登録商標）でＥｖｏｎｉｋ  Ｉｎｄｕｓｔｒｉｅｓ  ＡＧから市販されている。
【０２０９】
ＡＳＴＭ  Ｄ−４６８４−０８に従い、ＭＲＶ−ＴＰ１測定を行った。さらに、ＡＳＴＭ  Ｄ  ４４５に従い、４０℃（ＫＶ40）および１００℃（ＫＶ100）において動粘度を測定した。達成された結果を第１表に示す。
【０２１０】
第１表
【表１】
2013544328.tif 000006
【０２１１】
実施例１は、エステル基を有するポリマー、とりわけポリアルキル（メタ）アクリレートが、老化油のコールドスタート性能を未使用油の特徴にまで改善することを明確に示している。粘度データに関して、当該老化油が、ＳＡＥ  Ｊ３００  ５Ｗ−３０油の仕様内であることを考慮されたい。
【０２１２】
比較例２および３
市販の１５Ｗ−４０モーター油を、修正ＧＦＣ仕様に従って、より大きい容量にて１７０℃で７２時間酸化させた。それに加えて、１０質量％のバイオディーゼル（Ｂ１００、なたね油メチルエステル）と９０質量％の同じＳＡＥ  １５Ｗ−４０モーター油との混合物を製造し、同じ方法において酸化させた。ＡＳＴＭ  Ｄ−４６８４−０８に従い、−２５℃にて、ＭＲＶ−ＴＰ１測定を用いて低温性能を評価した。
【０２１３】
第２表
【表２】
2013544328.tif 000007
【０２１４】
実施例２および３
約９０質量％の市販の１５Ｗ−４０モーター油と、約１０質量％の、比較例３において言及したようなバイオディーゼル（Ｂ１００）とを含む油混合物を、約６６．２質量％のＬＭＡおよび３３．８質量％のＳＭＡを含むポリアルキル（メタ）アクリレート組成物をベースとする、少量の流動点降下剤によって処理した。ポリアルキル（メタ）アクリレート組成物をベースとする当該流動点降下剤は、Ｅｖｏｎｉｋ  Ｉｎｄｕｓｔｒｉｅｓ  ＡＧから市販されている。
【０２１５】
当該油混合物を、修正ＧＦＣ仕様に従い、１７０℃で７２時間酸化させた。
【０２１６】
流動点降下剤（ＰＰＤ）の量は、質量％で与えられており、達成された結果は第３表に示す。
【０２１７】
実施例４
約９０質量％の市販の１５Ｗ−４０モーター油と、約１０質量％の、比較例３において言及したようなバイオディーゼル（Ｂ１００）とを含む油混合物を、約５７．５質量％のＬＭＡおよび４２．５質量％のＳＭＡを含むポリアルキル（メタ）アクリレート組成物をベースとする、０．３質量％の流動点降下剤によって処理した。ポリアルキル（メタ）アクリレート組成物をベースとする当該流動点降下剤は、Ｅｖｏｎｉｋ  Ｉｎｄｕｓｔｒｉｅｓ  ＡＧから市販されている。
【０２１８】
当該油混合物を、修正ＧＦＣ仕様に従い、１７０℃で７２時間酸化させた。達成された結果は第３表に示す。
【０２１９】
第３表
【表３】
2013544328.tif 000008
【０２２０】
実施例２〜４の結果は、少量のエステル基含有ポリマー、とりわけポリアルキル（メタ）アクリレート樹脂の添加が、油のコールドスタート性能を維持することを明確に示している。
【０２２１】
実施例５〜９
約８５．５質量％の基油混合物、８．７質量％のＤＩ−パッケージ、および５．５質量％のポリアルキル（メタ）アクリレート組成物を含むＳＡＥ  １５Ｗ−４０モーター油混合物は、粘度指数および流動点を向上させる。この組成物は、約８２．６質量％のＩＤＭＡ、約５．２質量％のＭＭＡ、約５．６質量％のＳＭＡ、約３．８質量％のＮＶＰ、および約２．７３質量％のＬＭＡを含む。
【０２２２】
ＩＤＭＡ（イソデシルメタクリレート）は、分岐しているアルキル残基に約１０個の炭素原子を有するメタクリレート混合物である。
【０２２３】
ＭＭＡはメチルメタクリレートであり、ＮＶＰはＮ−ビニル−２−ピロリドンである。
【０２２４】
当該ポリアルキル（メタ）アクリレート組成物は、Ｅｖｏｎｉｋ  Ｉｎｄｕｓｔｒｉｅｓ  ＡＧから市販されている。
【０２２５】
上記において言及したような、粘度指数および流動点を向上させる５．５質量％のポリアルキル（メタ）アクリレート組成物を含む油混合物を、様々な量のバイオディーゼル（ＦＡＭＥ  ＥＮ  １４２１４により、Ｂ１００）によって処理した。
【０２２６】
当該油混合物を、修正ＧＦＣ仕様に従い、１７０℃で７２時間酸化させた。バイオディーゼルの量は、質量％において与えられ、達成された結果は第４表に示す。
【０２２７】
第４表
【表４】
2013544328.tif 000009
【０２２８】
実施例１０〜１３
上記において言及したような、粘度指数および流動点を向上させる５．５質量％のポリアルキル（メタ）アクリレート組成物を含む油混合物を、様々な量の約１５体積％のバイオディーゼルを含む鉱物ディーゼル（ＦＡＭＥ  ＥＮ  １４２１４により、Ｂ１５）によって処理した。
【０２２９】
当該油混合物を、修正ＧＦＣ仕様に従い、１７０℃で７２時間酸化させた。バイオディーゼルの量は、質量％において与えられ、達成された結果は第５表に示す。
【０２３０】
第５表
【表５】
2013544328.tif 000010
【０２３１】
実施例１４〜２２
約８３．４質量％の基油混合物、１３．３質量％のＤＩ−パッケージ、および３．３質量％のポリアルキル（メタ）アクリレート組成物を含むＳＡＥ  ５Ｗ−３０モーター油混合物は、粘度指数および流動点を向上させる。
【０２３２】
この組成物は、約８２．６質量％のＩＤＭＡ、約５．２質量％のＭＭＡ、約５．６質量％のＳＭＡ、約３．８質量％のＮＶＰ、および約２．７３質量％のＬＭＡを含む。
【０２３３】
粘度指数および流動点を向上させる当該ポリアルキル（メタ）アクリレート組成物は、約３．７質量％の流動点降下剤および９６．３質量％の粘度指数向上剤を含む。当該ポリアルキル（メタ）アクリレート組成物は、Ｅｖｏｎｉｋ  Ｉｎｄｕｓｔｒｉｅｓ  ＡＧから市販されている。
【０２３４】
上記において言及したような、粘度指数および流動点を向上させる３．３質量％のポリアルキル（メタ）アクリレート組成物を含む油混合物を、様々な量のバイオディーゼル（ＦＡＭＥ  ＥＮ  １４２１４により、Ｂ１００）によって処理した。
【０２３５】
当該油混合物を、修正ＧＦＣ仕様に従い、１７０℃で７２時間酸化させた。バイオディーゼルの量は、質量％において与えられ、達成された結果は第６表に示す。
【０２３６】
第６表
【表６】
2013544328.tif 000011
【０２３７】
上記において言及したような、粘度指数および流動点を向上させる３．３質量％のポリアルキル（メタ）アクリレート組成物を含む油混合物を、様々な量の、約１５体積％のバイオディーゼルを含む鉱物ディーゼル（ＦＡＭＥ  ＥＮ  １４２１４により、Ｂ１５）によって処理した。
【０２３８】
当該油混合物を、修正ＧＦＣ仕様に従い、１７０℃で７２時間酸化させた。バイオディーゼルの量は、質量％において与えられ、達成された結果は第７表に示す。
【０２３９】
第７表
【表７】
2013544328.tif 000012
【０２４０】
実施例５〜２２は、粘度指数および流動点を向上させる、エステル基を有するポリマー、とりわけポリアルキル（メタ）アクリレート組成物が、油のコールドスタート性能を維持することを示している。
【国際調査報告】
2013544328.tif 000017
2013544328.tif 000018
2013544328.tif 000019